(57)【特許請求の範囲】
【請求項１】
無線アクセスネットワークノードに適用される通信方法であって、
前記無線アクセスネットワークノードが、コアネットワークノードによって送信された初回ＵＥコンテキストセットアップメッセージを受信する段階であって、前記初回ＵＥコンテキストセットアップメッセージは、ネットワークスライス識別子に対応する少なくとも１つのネットワークスライスが端末デバイスによりアクセスされるのを許可されることを示す前記ネットワークスライス識別子を含む、段階と、
前記無線アクセスネットワークノードが、第１ネットワークスライス管理要求応答メッセージを前記コアネットワークノードへ送信する段階と、
前記無線アクセスネットワークノードが、第２ネットワークスライス管理要求メッセージを前記コアネットワークノードへ送信する段階であって、前記第２ネットワークスライス管理要求メッセージは、前記無線アクセスネットワークノードによってサポートされるネットワークスライスについての情報を含む、段階と、
を備える通信方法。
【請求項２】
前記第１ネットワークスライス管理要求応答メッセージは、前記無線アクセスネットワークノードが、前記コアネットワークノードによって送信された前記初回ＵＥコンテキストセットアップメッセージを承諾することを示すために使用される、請求項１に記載の通信方法。
【請求項３】
前記第１ネットワークスライス管理要求応答メッセージは、前記無線アクセスネットワークノードが、前記コアネットワークノードによって送信された前記初回ＵＥコンテキストセットアップメッセージを拒否することを示すために使用され、前記第１ネットワークスライス管理要求応答メッセージは、前記初回ＵＥコンテキストセットアップメッセージを拒否する原因を含む、請求項１又は２に記載の通信方法。
【請求項４】
第２ネットワークスライス管理要求メッセージは、前記無線アクセスネットワークノードと前記コアネットワークノードとの間のインタフェースの確立を要求するために使用される、請求項１から３のいずれか一項に記載の通信方法。
【請求項５】
前記無線アクセスネットワークノードが、前記コアネットワークノードによって送信された第２ネットワークスライス管理要求応答メッセージを受信する段階であって、前記第２ネットワークスライス管理要求応答メッセージは、前記コアネットワークノードが、前記無線アクセスネットワークノードによって送信された第２ネットワークスライス管理要求メッセージを受信することに成功したことを示すために使用される、段階を更に備える、請求項１から４のいずれか一項に記載の通信方法。
【請求項６】
コアネットワークノードに適用される通信方法であって、
前記コアネットワークノードが、初回ＵＥコンテキストセットアップメッセージを無線アクセスネットワークノードへ送信する段階であって、前記初回ＵＥコンテキストセットアップメッセージは、ネットワークスライス識別子に対応する少なくとも１つのネットワークスライスが端末デバイスによりアクセスされるのを許可されることを示す前記ネットワークスライス識別子を含む、段階と、
前記コアネットワークノードが、前記無線アクセスネットワークノードによって送信された第１ネットワークスライス管理要求応答メッセージを受信する段階と、
前記コアネットワークノードが、前記無線アクセスネットワークノードによって送信された第２ネットワークスライス管理要求メッセージを受信する段階であって、前記第２ネットワークスライス管理要求メッセージは、前記無線アクセスネットワークノードによってサポートされるネットワークスライスについての情報を含む、段階と、
を備える通信方法。
【請求項７】
前記第１ネットワークスライス管理要求応答メッセージは、前記無線アクセスネットワークノードが、前記コアネットワークノードによって送信された前記初回ＵＥコンテキストセットアップメッセージを承諾することを示すために使用される、請求項６に記載の通信方法。
【請求項８】
前記第１ネットワークスライス管理要求応答メッセージは、前記無線アクセスネットワークノードが、前記コアネットワークノードによって送信された前記初回ＵＥコンテキストセットアップメッセージを拒否することを示すために使用され、前記第１ネットワークスライス管理要求応答メッセージは、前記初回ＵＥコンテキストセットアップメッセージを拒否する原因を含む、請求項６又は７に記載の通信方法。
【請求項９】
第２ネットワークスライス管理要求メッセージは、前記コアネットワークノードと前記無線アクセスネットワークノードとの間のインタフェースの確立を要求するために使用されるメッセージである、請求項６から８のいずれか一項に記載の通信方法。
【請求項１０】
前記コアネットワークノードが、第２ネットワークスライス管理要求応答メッセージを前記無線アクセスネットワークノードへ送信する段階であって、前記第２ネットワークスライス管理要求応答メッセージは、前記コアネットワークノードが、前記無線アクセスネットワークノードによって送信された第２ネットワークスライス管理要求メッセージを受信することに成功したことを示すために使用される、段階を更に備える、請求項６から９のいずれか一項に記載の通信方法。
【請求項１１】
無線アクセスネットワークノードに適用される通信機器であって、
コアネットワークノードによって送信された初回ＵＥコンテキストセットアップメッセージを受信するよう構成される受信モジュールであって、前記初回ＵＥコンテキストセットアップメッセージは、ネットワークスライス識別子に対応する少なくとも１つのネットワークスライスが端末デバイスによりアクセスされるのを許可されることを示す前記ネットワークスライス識別子を含む、受信モジュールと、
第１ネットワークスライス管理要求応答メッセージを前記コアネットワークノードへ送信するよう構成される送信モジュールと
を備え、前記送信モジュールは、第２ネットワークスライス管理要求メッセージを前記コアネットワークノードへ送信するよう更に構成され、前記第２ネットワークスライス管理要求メッセージは、前記無線アクセスネットワークノードによってサポートされるネットワークスライスについての情報を含む、通信機器。
【請求項１２】
前記第１ネットワークスライス管理要求応答メッセージは、前記無線アクセスネットワークノードが、前記コアネットワークノードによって送信された前記初回ＵＥコンテキストセットアップメッセージを承諾することを示すために使用される、請求項１１に記載の通信機器。
【請求項１３】
前記第１ネットワークスライス管理要求応答メッセージは、前記無線アクセスネットワークノードが、前記コアネットワークノードによって送信された前記初回ＵＥコンテキストセットアップメッセージを拒否することを示すために使用され、前記第１ネットワークスライス管理要求応答メッセージは、前記初回ＵＥコンテキストセットアップメッセージを拒否する原因を含む、請求項１１又は１２に記載の通信機器。
【請求項１４】
第２ネットワークスライス管理要求メッセージは、前記無線アクセスネットワークノードと前記コアネットワークノードとの間のインタフェースの確立を要求するために使用される、請求項１１から１３のいずれか一項に記載の通信機器。
【請求項１５】
前記受信モジュールは、前記コアネットワークノードによって送信された第２ネットワークスライス管理要求応答メッセージを受信するよう更に構成され、前記第２ネットワークスライス管理要求応答メッセージは、前記コアネットワークノードが、前記無線アクセスネットワークノードによって送信された第２ネットワークスライス管理要求メッセージを受信することに成功したことを示すために使用される、請求項１１から１４のいずれか一項に記載の通信機器。
【請求項１６】
コアネットワークノードに適用される通信機器であって、
初回ＵＥコンテキストセットアップメッセージを無線アクセスネットワークノードへ送信するよう構成される送信モジュールであって、前記初回ＵＥコンテキストセットアップメッセージは、ネットワークスライス識別子に対応する少なくとも１つのネットワークスライスが端末デバイスによりアクセスされるのを許可されることを示すネットワークスライス識別子を含む、送信モジュールと、
前記無線アクセスネットワークノードによって送信された第１ネットワークスライス管理要求応答メッセージを受信するよう構成される受信モジュールと
を備え、前記受信モジュールは、前記無線アクセスネットワークノードによって送信された第２ネットワークスライス管理要求メッセージを受信するよう更に構成され、前記第２ネットワークスライス管理要求メッセージは、前記無線アクセスネットワークノードによってサポートされるネットワークスライスについての情報を含む、通信機器。
【請求項１７】
前記第１ネットワークスライス管理要求応答メッセージは、前記無線アクセスネットワークノードが、前記コアネットワークノードによって送信された前記初回ＵＥコンテキストセットアップメッセージを承諾することを示すために使用される、請求項１６に記載の通信機器。
【請求項１８】
前記第１ネットワークスライス管理要求応答メッセージは、前記無線アクセスネットワークノードが、前記コアネットワークノードによって送信された前記初回ＵＥコンテキストセットアップメッセージを拒否することを示すために使用され、前記第１ネットワークスライス管理要求応答メッセージは、前記初回ＵＥコンテキストセットアップメッセージを拒否する原因を含む、請求項１６又は１７に記載の通信機器。
【請求項１９】
第２ネットワークスライス管理要求メッセージは、前記コアネットワークノードと前記無線アクセスネットワークノードとの間のインタフェースの確立を要求するために使用される、請求項１６から１８のいずれか一項に記載の通信機器。
【請求項２０】
前記送信モジュールは、第２ネットワークスライス管理要求応答メッセージを前記無線アクセスネットワークノードへ送信するよう更に構成され、前記第２ネットワークスライス管理要求応答メッセージは、前記コアネットワークノードが、前記無線アクセスネットワークノードによって送信された第２ネットワークスライス管理要求メッセージを受信することに成功したことを示すために使用される、請求項１６から１９のいずれか一項に記載の通信機器。
【請求項２１】
プロセッサを含む通信機器であって、プログラム命令が前記プロセッサによって実行されるとき、前記通信機器は、請求項１から１０のいずれか一項に記載の通信方法を実行する、通信機器。
【請求項２２】
請求項１から１０のいずれか一項に記載の通信方法を実行するよう構成される通信機器。
【請求項２３】
プロセッサを含むシステムチップであって、プログラム命令が前記プロセッサによって実行されるとき、請求項１から１０のいずれか一項に記載の通信方法が実行される、システムチップ。
【請求項２４】
プログラム命令であって、前記プログラム命令が直接的または間接的に実行されるとき、請求項１から１０のいずれか一項に記載の通信方法が実行される、プログラム命令。
【請求項２５】
請求項１から５のいずれか一項に記載の方法を実行するように構成される、無線アクセスネットワークノードに適用される通信機器、及び／又は、
請求項６から１０のいずれか一項に記載の方法を実行するように構成される、コアネットワークノードに適用される通信装置
を備える、通信システム。
【発明の詳細な説明】
【技術分野】
【０００１】
本願は、２０１７年１月２５日に中国特許庁に出願された、「通信方法および通信機器」と題された中国特許出願第２０１７１００６２７４０．１号に対する優先度を主張し、その全体は参照によって本明細書に組み込まれる。
【０００２】
本願は、通信分野に関し、より具体的には、通信方法および通信機器に関する。
【背景技術】
【０００３】
第５世代（ｆｉｆｔｈ−ｇｅｎｅｒａｔｉｏｎ、５Ｇ）通信システムにおいて、異なるユーザ要件を満たすために、ネットワークスライシングＮＳ（Ｎｅｔｗｏｒｋ  ｓｌｉｃｅ、ＮＳ）のネットワークアーキテクチャが提案されている。
【０００４】
しかしながら、実際のネットワークシナリオにおいて、いくつかのネットワークスライスは、ローカルネットワークエリアのみにおいて配備され得る。例えば、端末デバイスが工業団地またはスタジアムにおいてサービスを開始するときにユーザ体験を改善するべく、ネットワークスライスが、工業団地またはスタジアムにおいて確立される。端末デバイスがソースセルからターゲットセルへハンドオーバされる必要がある場合、端末デバイスがアクセスする必要があるネットワークスライスをターゲットセルがサポートしない可能性が高い。したがって、端末デバイスのために適切なネットワークスライスを選択するための技術が必要である。
【発明の概要】
【０００５】
本願では、通信方法および通信機器を提供し、これにより、端末デバイスによってアクセスされる予定のアクセスネットワークデバイスによってサポートされるネットワークスライスの状態を参照して、端末デバイスのためにネットワークスライスを選択する。
【０００６】
第１態様によれば、通信方法が提供される。通信方法は、第１ネットワークノードが、第１メッセージを第２ネットワークノードへ送信する段階であって、第１メッセージは、第１ネットワークスライスセットにおける少なくとも１つのネットワークスライスに対応するネットワークスライス識別子を含み、第１ネットワークスライスセットにおけるネットワークスライスは、端末デバイスによるアクセスのために使用される、端末デバイスのために選択されるネットワークスライスであり、第１ネットワークノードは、端末デバイスによって現在アクセスされる第１アクセスネットワークノードであり、第２ネットワークノードは、第１コアネットワークノード、または、端末デバイスによってアクセスされる予定の第２アクセスネットワークノードであり、第１コアネットワークノードは、第１ネットワークノードが属する通信システムのコアネットワークノードである、段階と、第１ネットワークノードが、第２ネットワークノードによって送信された第１応答メッセージを受信する段階であって、第１応答メッセージは、第２ネットワークスライスセットにおける少なくとも１つのネットワークスライスに対応するネットワークスライス識別子を含み、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて第２ネットワークノードによって決定される、端末デバイスによるアクセスのために使用されるネットワークスライスのセットである、または、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて第２コアネットワークノードによって決定される、端末デバイスによるアクセスのために使用されるネットワークスライスのセットであり、第２コアネットワークノードは、第２アクセスネットワークノードが属する通信システムのコアネットワークノードである、段階とを備える。
【０００７】
したがって、本願の本実施形態における通信方法によれば、第１ネットワークノードは、第１メッセージを第２ネットワークノードへ送信し、第１メッセージは、第１ネットワークスライスセットにおける少なくとも１つのネットワークスライスに対応するネットワークスライス識別子を含む。第１メッセージに含まれる第１ネットワークスライスセットにおける少なくとも１つのネットワークスライスに対応するネットワークスライス識別子に基づいて、第２ネットワークノードは、第２アクセスネットワークノードによってサポートされるネットワークスライスの状態を参照して、第２ネットワークスライスセットにおける少なくとも１つのネットワークスライスに対応するネットワークスライス識別子を決定し得る。第２ネットワークスライスセットにおける少なくとも１つのネットワークスライスに対応するネットワークスライス識別子は、端末デバイスによってアクセスされる予定の第２アクセスネットワークノードによってサポートされるネットワークスライスの状態に基づいて決定されるので、端末デバイスが第１アクセスネットワークノードから第２アクセスネットワークノードへハンドオーバされるとき、第２アクセスネットワークノードによってサポートされるネットワークスライスの状態を考慮して、端末デバイスのためにアクセスされる予定のネットワークスライスを決定でき、それにより、円滑なハンドオーバを保証する。
【０００８】
任意選択的に、第１メッセージはハンドオーバ要求メッセージであり得る、または、第２ネットワークノードが第２アクセスネットワークノードである場合、第１メッセージは代替的に、第１アクセスネットワークノードと第２アクセスネットワークノードとの間の通信に使用される別のメッセージであり得る、または、第２ネットワークノードが第１コアネットワークノードである場合、第１メッセージは代替的に、第１アクセスネットワークノードと第１コアネットワークノードとの間の通信に使用される別のメッセージであり得る。
【０００９】
これに対応して、第１応答メッセージはハンドオーバ要求確認メッセージであり得る、または、第２ネットワークノードが第２アクセスネットワークノードである場合、第１応答メッセージは代替的に、第１アクセスネットワークノードと第２アクセスネットワークノードとの間の通信に使用される別のメッセージであり得る、または、第２ネットワークノードが第１コアネットワークノードである場合、第１応答メッセージは代替的に、第１アクセスネットワークノードと第１コアネットワークノードとの間の通信に使用される別のメッセージであり得る。
【００１０】
可能な実装において、第２ネットワークスライスセットは、第１コアネットワークノードまたは第２コアネットワークノードによって決定され、第１応答メッセージは更に第１非アクセス層ＮＡＳメッセージを含み、第１ＮＡＳメッセージは、第２ネットワークスライスセットにおける少なくとも１つのネットワークスライスに対応するネットワークスライス識別子を含み、第１ＮＡＳメッセージは、ネットワークスライス再選択プロセスを開始するよう端末デバイスに命令するために使用される。
【００１１】
具体的には、第２ネットワークスライスセットは、第１ネットワークノードが属する通信システムにおけるコアネットワークノード、すなわち、第１コアネットワークノードによって決定され得る。この場合、第１アクセスネットワークノードおよび第２アクセスネットワークノードは同一の通信システムに属する。代替的に、第２ネットワークスライスセットは、第２アクセスネットワークノードが属する通信システムにおけるコアネットワークノード、すなわち、第２コアネットワークノードによって決定され得る。第１応答メッセージがコアネットワークノード（第１コアネットワークノードまたは第２コアネットワークノード）によって決定されるとき、第１応答メッセージは、第１ＮＡＳメッセージを更に含み得て、第１ＮＡＳメッセージは、コアネットワークノードによって決定された第２ネットワークスライスセットにおける少なくとも１つのネットワークスライスに対応するネットワークスライス識別子を含む。第１ネットワークノードは、第１ＮＡＳメッセージを含む第１応答メッセージを受信した後に、第１ＮＡＳメッセージを端末デバイスへ送信し得て、その結果、端末デバイスは、第１ＮＡＳメッセージを受信した後に、ネットワークスライス再選択プロセスを開始し得る。
【００１２】
可能な実装において、方法は、第１ネットワークノードが第２メッセージを端末デバイスへ送信する段階であって、第２メッセージは第１ＮＡＳメッセージを含む段階を更に備える。
【００１３】
任意選択的に、第２メッセージはハンドオーバ命令であり得て、ハンドオーバ命令は、第１アクセスネットワークノードから第２アクセスネットワークノードへ端末デバイスをハンドオーバするために使用され得る。
【００１４】
可能な実装において、方法は、第１ネットワークノードが、端末デバイスまたは第１コアネットワークノードによって送信された第３メッセージを受信する段階であって、第３メッセージは、第１ネットワークスライスセットにおける各ネットワークスライスに対応するネットワークスライス識別子を含む、段階を更に備える。
【００１５】
具体的には、第１ネットワークノードは、端末デバイスのために選択された、端末デバイスによるアクセスのために使用される（または、端末デバイスはアクセスを希望する、または、アクセスが可能である）ネットワークスライスについての情報を端末デバイスから取得し得る、または、端末デバイスがアクセスを希望する（または、端末デバイスがアクセスを希望する、または、アクセス可能である）ネットワークスライスについての情報をコアネットワークノードから取得し得る。
【００１６】
任意選択的に、第３メッセージが端末デバイスによって送信された場合、第３メッセージは、無線リソース制御接続要求（ＲＲＣ  Ｃｏｎｎｅｃｔｉｏｎ  Ｒｅｑｕｅｓｔ）、ＲＲＣ接続再確立要求（ＲＲＣ  Ｃｏｎｎｅｃｔｉｏｎ  Ｒｅｅｓｔａｂｌｉｓｈｍｅｎｔ  Ｒｅｑｕｅｓｔ）、または、ＲＲＣ接続セットアップ完了（ＲＲＣ  Ｃｏｎｎｅｃｔｉｏｎ  Ｓｅｔｕｐ  Ｃｏｍｐｌｅｔｅ）メッセージであり得る。
【００１７】
代替的に、第３メッセージが第１コアネットワークノードによって送信された場合、第３メッセージは、第１アクセスネットワークノードと第１コアネットワークノードとの間のインタフェースを確立することを要求するメッセージ、初回端末デバイスコンテキストセットアップメッセージ、または、アクセスネットワークノードとコアネットワークノードとの間の通信に使用される別のメッセージであり得る。第１コアネットワークノードは、第３メッセージを第１アクセスネットワークノードへ自発的に送信し得る、または、第１アクセスネットワークノードの要求メッセージに基づいて、第３メッセージを第１アクセスネットワークノードへ送信し得る。
【００１８】
可能な実装において、第１メッセージは、ネットワークスライス優先度と、端末デバイスによるアクセスを禁止されたネットワークスライスに対応する、ネットワークスライス識別子、セル識別子、トラッキングエリア識別子またはコード、ページングエリア識別子および公衆陸上移動ネットワークＰＬＭＮ識別子と、端末デバイスによるアクセスを許可されたネットワークスライスに対応するネットワークスライス識別子、セル識別子、トラッキングエリア識別子またはコード、ページングエリア識別子およびＰＬＭＮ識別子と、ネットワークスライス再選択ポリシーと、第１ネットワークスライスセットにおける少なくとも１つのネットワークスライスに対応するセキュリティ情報およびサービス情報とのうちの少なくとも１つを更に含み、ネットワークスライス再選択ポリシーは、ネットワークノードが端末デバイスのためにネットワークスライスを選択する方式を示すために使用される。
【００１９】
可能な実装において、第１応答メッセージは、第２ネットワークスライスセットにおける少なくとも１つのネットワークスライスに対応する、確立が許可されたサービス情報、および／または、確立が許可されていないサービス情報のうち少なくとも１つを更に含む。
【００２０】
可能な実装において、第２ネットワークノードは第２アクセスネットワークノードであり、方法は、第１ネットワークノードが、第１要求メッセージを第２ネットワークノードへ送信する段階であって、第１要求メッセージは、第２ネットワークノードによってサポートされるネットワークスライスについての情報を取得するよう要求するために使用され、第１要求メッセージは、第１ネットワークノードによってサポートされるネットワークスライスについての情報を含む、段階と、第１ネットワークノードが、第２ネットワークノードによって送信された第１要求応答メッセージを受信する段階であって、第１要求応答メッセージは、第２ネットワークノードによってサポートされるネットワークスライスについての情報を含む、段階とを更に備える。
【００２１】
したがって、第１ネットワークノードおよび第２ネットワークノードが両方ともアクセスネットワークノードであるとき、第１ネットワークノードおよび第２ネットワークノードは、互いがサポートするネットワークスライスについての情報を交換し得る。例えば、第１ネットワークノードは、第１要求メッセージを第２ネットワークノードへ送信し得て、第１要求メッセージは、第２ネットワークノードによってサポートされるネットワークスライスについての情報を取得するよう要求するために使用され得る。任意選択的に、第１要求メッセージは、第１ネットワークノードによってサポートされるネットワークスライスについての情報を更に含み得る。第２ネットワークノードは、第１要求応答メッセージを用いて応答し得て、第１要求応答メッセージは、第２ネットワークノードによってサポートされるネットワークスライスについての情報を含み得る。
【００２２】
同様に、通信システムにおける任意の２つのアクセスネットワークノードは、上述の方式で、２つのアクセスネットワークノードによってサポートされるネットワークスライスの状態を交換し得る。例えば、端末デバイスによって現在アクセスされるアクセスネットワークノードは、上述の方式で、端末デバイスによってアクセスされる予定のアクセスネットワークノードによってサポートされるネットワークスライスの状態を取得し得て、これにより、アクセスされる予定のアクセスネットワークノードによってサポートされるネットワークスライスの状態に基づいて、端末デバイスのために、適切なネットワークスライスを選択する。
【００２３】
第２態様によれば、通信方法が提供される。通信方法は、第２ネットワークノードが、第１ネットワークノードによって送信された第１メッセージを受信する段階であって、第１メッセージは、第１ネットワークスライスセットにおける少なくとも１つのネットワークスライスに対応するネットワークスライス識別子を含み、第１ネットワークスライスセットにおけるネットワークスライスは、端末デバイスによるアクセスのために使用される、端末デバイスのために選択されるネットワークスライスであり、第１ネットワークノードは、端末デバイスによって現在アクセスされる第１アクセスネットワークノードであり、第２ネットワークノードは、第１コアネットワークノード、または、端末デバイスによってアクセスされる予定の第２アクセスネットワークノードであり、第１コアネットワークノードは、第１ネットワークノードが属する通信システムのコアネットワークノードである、段階と、第２ネットワークノードが、第１応答メッセージを第１ネットワークノードへ送信する段階であって、第１応答メッセージは、第２ネットワークスライスセットにおける少なくとも１つのネットワークスライスに対応するネットワークスライス識別子を含み、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて第２ネットワークノードによって決定される、端末デバイスによるアクセスのために使用されるネットワークスライスのセットである、または、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて第２コアネットワークノードによって決定される、端末デバイスによるアクセスのために使用されるネットワークスライスのセットであり、第２コアネットワークノードは、第２アクセスネットワークノードが属する通信システムのコアネットワークノードである、段階とを備える。
【００２４】
したがって、本願の本実施形態における通信方法によれば、第２ネットワークノードは、第１ネットワークノードによって送信された第１メッセージを受信し得て、第１メッセージは、第１ネットワークスライスセットにおける少なくとも１つのネットワークスライスに対応するネットワークスライス識別子を含む。第１メッセージに含まれる第１ネットワークスライスセットにおける少なくとも１つのネットワークスライスに対応するネットワークスライス識別子に基づいて、第２ネットワークノードは、第２ネットワークスライスセットにおける少なくとも１つのネットワークスライスに対応するネットワークスライス識別子を決定し得る。第２ネットワークスライスセットにおける少なくとも１つのネットワークスライスに対応するネットワークスライス識別子は、端末デバイスによってアクセスされる予定の第２アクセスネットワークノードによってサポートされるネットワークスライスの状態に基づいて決定されるので、端末デバイスが第１アクセスネットワークノードから第２アクセスネットワークノードへハンドオーバされるとき、第２アクセスネットワークノードによってサポートされるネットワークスライスの状態を考慮することができ、第２アクセスネットワークノードによってサポートされる、端末デバイスによってアクセスされる予定のネットワークスライスを決定し、それにより、円滑なハンドオーバを保証する。
【００２５】
任意選択的に、第１メッセージはハンドオーバ要求メッセージであり得る、または、第２ネットワークノードが第２アクセスネットワークノードである場合、第１メッセージは代替的に、第１アクセスネットワークノードと第２アクセスネットワークノードとの間の通信に使用される別のメッセージであり得る、または、第２ネットワークノードが第１コアネットワークノードである場合、第１メッセージは代替的に、第１アクセスネットワークノードと第１コアネットワークノードとの間の通信に使用される別のメッセージであり得る。
【００２６】
これに対応して、第１応答メッセージはハンドオーバ要求確認メッセージであり得る、または、第２ネットワークノードが第２アクセスネットワークノードである場合、第１応答メッセージは代替的に、第１アクセスネットワークノードと第２アクセスネットワークノードとの間の通信に使用される別のメッセージであり得る、または、第２ネットワークノードが第１コアネットワークノードである場合、第１応答メッセージは代替的に、第１アクセスネットワークノードと第１コアネットワークノードとの間の通信に使用される別のメッセージであり得る。
【００２７】
可能な実装において、第２ネットワークスライスセットは、第１コアネットワークノードまたは第２コアネットワークノードによって決定され、第１応答メッセージは更に第１非アクセス層ＮＡＳメッセージを含み、第１ＮＡＳメッセージは、第２ネットワークスライスセットにおける少なくとも１つのネットワークスライスに対応するネットワークスライス識別子を含み、第１ＮＡＳメッセージは、ネットワークスライス再選択プロセスを開始するよう端末デバイスに命令するために使用され、第１ＮＡＳメッセージを含む第１応答メッセージは、第１ネットワークノードがＮＡＳメッセージを端末デバイスへ送信するために使用される。
【００２８】
任意選択的に、第２ネットワークスライスセットは、第１ネットワークノードが属する通信システムにおけるコアネットワークノード、すなわち、第１コアネットワークノードによって決定され得る。この場合、第１アクセスネットワークノードおよび第２アクセスネットワークノードは同一の通信システムに属する。代替的に、第２ネットワークスライスセットは、第２アクセスネットワークノードが属する通信システムにおけるコアネットワークノード、すなわち、第２コアネットワークノードによって決定され得る。第１応答メッセージがコアネットワークノード（第１コアネットワークノードまたは第２コアネットワークノード）によって決定されるとき、第１応答メッセージは、第１ＮＡＳメッセージを更に含み得て、第１ＮＡＳメッセージは、コアネットワークノードによって決定された第２ネットワークスライスセットにおける少なくとも１つのネットワークスライスに対応するネットワークスライス識別子を含む。第１ネットワークノードは、第１ＮＡＳメッセージを含む第１応答メッセージを受信した後に、第１ＮＡＳメッセージを端末デバイスへ送信し得て、その結果、端末デバイスは、第１ＮＡＳメッセージを受信した後に、ネットワークスライス再選択プロセスを開始し得る。
【００２９】
可能な実装において、第２ネットワークノードは第２アクセスネットワークノードであり、第１コアネットワークノードおよび第２コアネットワークノードは同一のコアネットワークノードであり、方法は、第２ネットワークノードが、第４メッセージを第１コアネットワークノードへ送信する段階であって、第４メッセージは、第１ネットワークスライスセットにおける少なくとも１つのネットワークスライスに対応するネットワークスライス識別子を含む、段階と、第２ネットワークノードが、第１コアネットワークノードによって送信された第４応答メッセージを受信する段階であって、第４応答メッセージは、第１ＮＡＳメッセージ、および、第２ネットワークスライスセットにおける少なくとも１つのネットワークスライスに対応するネットワークスライス識別子を含み、第１ＮＡＳメッセージは、第２ネットワークスライスセットにおける少なくとも１つのネットワークスライスに対応するネットワークスライス識別子を含み、第１ＮＡＳメッセージは、ネットワークスライス再選択プロセスを開始するよう端末デバイスに命令するために使用される、段階とを更に備える。
【００３０】
言い換えれば、第１メッセージを受信する第２ネットワークノードが第２アクセスネットワークノードである場合、第２アクセスネットワークノードは、第１アクセスネットワークノードによって送信された第１メッセージを受信した後に、第１メッセージに含まれる第１ネットワークスライスセットにおける少なくとも１つのネットワークスライスに対応するネットワークスライス識別子に基づいて、第２ネットワークスライスセットにおける少なくとも１つのネットワークスライスに対応するネットワークスライス識別子を決定し得る。代替的に、第２アクセスネットワークノードは、第２アクセスネットワークノードが属する通信システムにおけるコアネットワークノード、すなわち、第１コアネットワークノードを要求して、第２ネットワークスライスセットにおける少なくとも１つのネットワークスライスに対応するネットワークスライス識別子を決定し得る。
【００３１】
可能な実装において、方法は、第２ネットワークノードが、端末デバイスによって送信された第５メッセージを受信する段階であって、第５メッセージは第２ＮＡＳメッセージを含み、第２ＮＡＳメッセージは、第２ネットワークスライスセットにおける少なくとも１つのネットワークスライスに対応するネットワークスライス識別子を含み、第２ＮＡＳメッセージは、端末デバイスが、記憶されたネットワークスライス情報を、第２ネットワークスライスセットにおける少なくとも１つのネットワークスライスに対応するネットワークスライス識別子に更新したことを示すために使用される、段階と、第２ネットワークノードが、第６メッセージを第２コアネットワークノードへ送信する段階であって、第６メッセージは第２ＮＡＳメッセージを含む、段階と更に備える。
【００３２】
第２ＮＡＳメッセージは第１ＮＡＳメッセージに基づいて発生し、第２ネットワークノードは、第２ＮＡＳメッセージを受信した後に、対応するコアネットワークノードへ第２ＮＡＳメッセージを送信し得る。
【００３３】
可能な実装において、第１メッセージは、ネットワークスライス優先度と、端末デバイスによるアクセスを禁止されたネットワークスライスに対応する、ネットワークスライス識別子、セル識別子、トラッキングエリア識別子またはコード、ページングエリア識別子および公衆陸上移動ネットワークＰＬＭＮ識別子と、端末デバイスによるアクセスを許可されたネットワークスライスに対応するネットワークスライス識別子、セル識別子、トラッキングエリア識別子またはコード、ページングエリア識別子およびＰＬＭＮ識別子と、ネットワークスライス再選択ポリシーと、第１ネットワークスライスセットにおける少なくとも１つのネットワークスライスに対応するセキュリティ情報およびサービス情報とのうちの少なくとも１つを更に含み、ネットワークスライス再選択ポリシーは、ネットワークノードが端末デバイスのためにネットワークスライスを選択する方式を示すために使用される。
【００３４】
可能な実装において、第１応答メッセージは、第２ネットワークスライスセットにおける少なくとも１つのネットワークスライスに対応する、確立が許可されたサービス情報、および／または、確立が許可されていないサービス情報のうち少なくとも１つを更に含む。
【００３５】
可能な実装において、第１コアネットワークノードおよび第２コアネットワークノードは異なるコアネットワークノードであり、第２ネットワークノードは第１コアネットワークノードであり、方法は、第２ネットワークノードが、第７メッセージを第２コアネットワークノードへ送信する段階であって、第７メッセージは、第１ネットワークスライスセットにおける少なくとも１つのネットワークスライスに対応するネットワークスライス識別子を含む、段階と、第２ネットワークノードが、第２コアネットワークノードによって送信された第７応答メッセージを受信する段階であって、第７応答メッセージは、第２ネットワークスライスセットにおける少なくとも１つのネットワークスライスに対応するネットワークスライス識別子を含む、段階とを更に備える。
【００３６】
言い換えれば、第１ネットワークノードによって送信された第１メッセージを受信する第２ネットワークノードが第１コアネットワークノードである場合、第１コアネットワークノードは、第１メッセージに含まれる第１ネットワークスライスセットにおける少なくとも１つのネットワークスライスに対応するネットワークスライス識別子に基づいて、第２ネットワークスライスセットにおける少なくとも１つのネットワークスライスに対応するネットワークスライス識別子を直接決定し得る。代替的に、第１コアネットワークノードおよび第２コアネットワークノードが異なるコアネットワークノードである場合、第１コアネットワークノードは、第２ネットワークスライスセットにおける少なくとも１つのネットワークスライスに対応するネットワークスライス識別子を決定するよう第２コアネットワークノードに要求し得る。
【００３７】
可能な実装において、第２ネットワークノードは第２アクセスネットワークノードであり、方法は、第２ネットワークノードが、第１ネットワークノードから送信された第１要求メッセージを受信する段階であって、第１要求メッセージは、第２ネットワークノードによってサポートされるネットワークスライスについての情報を取得するよう要求するために使用され、第１要求メッセージは、第１ネットワークノードによってサポートされるネットワークスライスについての情報を含む、段階と、第２ネットワークノードが、第１要求応答メッセージを第１ネットワークノードへ送信する段階であって、第１要求応答メッセージは、第２ネットワークノードによってサポートされるネットワークスライスについての情報を含む、段階とを更に備え得る。
【００３８】
したがって、第１ネットワークノードおよび第２ネットワークノードが両方ともアクセスネットワークノードであるとき、第１ネットワークノードおよび第２ネットワークノードは、互いがサポートするネットワークスライスについての情報を交換し得る。例えば、第１ネットワークノードは、第１要求メッセージを第２ネットワークノードへ送信し得て、第１要求メッセージは、第２ネットワークノードによってサポートされるネットワークスライスについての情報を取得するよう要求するために使用され得る。任意選択的に、第１要求メッセージは、第１ネットワークノードによってサポートされるネットワークスライスについての情報を更に含み得る。第２ネットワークノードは、第１要求応答メッセージを用いて応答し得て、第１要求応答メッセージは、第２ネットワークノードによってサポートされるネットワークスライスについての情報を含み得る。
【００３９】
同様に、通信システムにおける任意の２つのアクセスネットワークノードは、上述の方式で、２つのアクセスネットワークノードによってサポートされるネットワークスライスの状態を交換し得る。例えば、端末デバイスによって現在アクセスされるアクセスネットワークノードは、上述の方式で、端末デバイスによってアクセスされる予定のアクセスネットワークノードによってサポートされるネットワークスライスの状態を取得し得て、これにより、アクセスされる予定のアクセスネットワークノードによってサポートされるネットワークスライスの状態に基づいて、端末デバイスのために、適切なネットワークスライスを選択する。
【００４０】
第３態様によれば、通信方法が提供される。通信方法は、端末デバイスが、第３メッセージを第１ネットワークノードへ送信する段階であって、第３メッセージは、第１ネットワークスライスセットにおける各ネットワークスライスに対応するネットワークスライス識別子を含み、第１ネットワークスライスセットにおける各ネットワークスライスは、端末デバイスのために選択された、端末デバイスによるアクセスのために使用されるネットワークスライスであり、第１ネットワークノードは、端末デバイスによって現在アクセスされる第１アクセスネットワークノードである、段階と、端末デバイスが、第１ネットワークノードによって送信された第２メッセージを受信する段階であって、第２メッセージは、第１非アクセス層ＮＡＳメッセージを含み、第１ＮＡＳメッセージは、第２ネットワークスライスセットにおける各ネットワークスライスに対応するネットワークスライス識別子を含み、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて、第２ネットワークノードによって決定される、端末デバイスによるアクセスのために使用されるネットワークスライスのセットである、または、第２ネットワークスライスセットは、第２アクセスネットワークノードによってサポートされるネットワークスライスの状態、および、第１ネットワークスライスセットにおける少なくとも１つのネットワークスライスに対応するネットワークスライス識別子に基づいて第２コアネットワークノードによって決定される、端末デバイスによるアクセスのために使用されるネットワークスライスのセットであり、第２コアネットワークノードは、第２アクセスネットワークノードが属する通信システムのコアネットワークノードである、段階を備える。
【００４１】
可能な実装において、方法は、端末デバイスが、第５メッセージを第２アクセスネットワークノードへ送信する段階であって、第５メッセージは第２ＮＡＳメッセージを含み、第２ＮＡＳメッセージは第２ネットワークスライスセットにおける各ネットワークスライスに対応するネットワークスライス識別子を含み、第２ＮＡＳメッセージは、端末デバイスが、記憶されたネットワークスライス情報を、第２ネットワークスライスセットにおける各ネットワークスライスに対応するネットワークスライス識別子に更新したことを示すために使用される、段階を更に備える。
【００４２】
第４態様によれば、通信方法が提供される。通信方法は、端末デバイスが、第３メッセージを第１ネットワークノードへ送信する段階であって、第３メッセージは、第１ネットワークスライスセットにおける各ネットワークスライスに対応するネットワークスライス識別子を含み、第１ネットワークスライスセットにおける各ネットワークスライスは、端末デバイスのために選択された、端末デバイスによるアクセスに使用されるネットワークスライスであり、第１ネットワークノードは、端末デバイスによって現在アクセスされる第１アクセスネットワークノードである、段階と、端末デバイスが、第１ネットワークノードによって送信された第２メッセージを受信する段階であって、第２メッセージは、リダイレクトセル情報、および、接続確立が拒否された、第１ネットワークスライスセットにおけるネットワークスライスに対応するネットワークスライス識別子のうちの少なくとも１つを含む、段階とを備える。リダイレクトセル情報は、端末デバイスのために第１ネットワークノードによって選択された、端末デバイスによって再アクセスされる予定のセルについての情報を示す。
【００４３】
第５態様によれば、通信機器が提供され、第１態様および第１態様の任意の可能な実装に係る方法、または、第２態様および第２態様の任意の可能な実装に係る方法、または、第３態様および第３態様の任意の可能な実装に係る方法、または、第４態様および第４態様の任意の可能な実装に係る方法を実行するよう構成される。具体的には、通信機器は、第１態様および第１態様の任意の可能な実装に係る方法を実装するよう構成されるユニット、または、第２態様および第２態様の任意の可能な実装に係る方法を実装するよう構成されるユニット、または、第３態様および第３態様の任意の可能な実装に係る方法を実装するよう構成されるユニット、または、第４態様および第４態様の任意の可能な実装に係る方法を実装するよう構成されるユニットを備え得る。
【００４４】
第６態様によれば、通信デバイスが提供され、メモリおよびプロセッサを備える。メモリは、コンピュータプログラムを記憶するよう構成される。プロセッサは、メモリにおけるコンピュータプログラムを呼び出して、コンピュータプログラムを実行するよう構成され、その結果、通信デバイスは、第１態様および第１態様の任意の可能な実装に係る方法、または、第２態様および第２態様の任意の可能な実装に係る方法、または、第３態様および第３態様の任意の可能な実装に係る方法、または、第４態様および第４態様の任意の可能な実装に係る方法を実行する。
【００４５】
第７態様によれば、コンピュータプログラム製品が提供され、コンピュータプログラム製品はコンピュータプログラムコードを含む。コンピュータプログラムコードが通信ユニット、処理ユニット、送受信機、または、通信デバイス（例えば、ネットワークデバイスまたは端末デバイス）のプロセッサによって実行されるとき、通信デバイスは、第１から第４態様、または、第１から第４態様の任意の可能な実装に係る方法を実行する。
【００４６】
第８態様によれば、コンピュータ可読記憶媒体が提供される。コンピュータ可読記憶媒体はプログラムを記憶し、プログラムは、第１から第４態様、または、第１から第４態様の任意の可能な実装に係る方法をユーザ機器に実行させる。
【図面の簡単な説明】
【００４７】
【図１】本願の一実施形態に係る無線通信システムの概略図である。
【００４８】
【図２】本願の一実施形態に係る通信方法の概略相互作用図である。
【００４９】
【図３】本願の別の実施形態に係る通信方法の概略相互作用図である。
【００５０】
【図４】本願の更に別の実施形態に係る通信方法の概略相互作用図である。
【００５１】
【図５】本願の更に別の実施形態に係る通信方法の概略相互作用図である。
【００５２】
【図６】本願の更に別の実施形態に係る通信方法の概略相互作用図である。
【００５３】
【図７】本願の一実施形態に係る通信機器の概略ブロック図である。
【００５４】
【図８】本願の一実施形態に係る通信機器の概略ブロック図である。
【発明を実施するための形態】
【００５５】
以下では、添付図面を参照して、本願の技術的解決手段を説明する。
【００５６】
本明細書において使用される「コンポーネント」、「モジュール」および「システム」などの用語は、コンピュータ関連エンティティ、ハードウェア、ファームウェア、ハードウェアおよびソフトウェアの組み合わせ、ソフトウェア、または、実行されているソフトウェアを示すために使用される。例えば、コンポーネントは、これらに限定されないが、プロセッサ上で動作するプロセス、プロセッサ、オブジェクト、実行可能ファイル、実行スレッド、プログラムおよび／またはコンピュータであり得る。図に示されるように、コンピューティングデバイス上で動作するコンピューティングデバイスよびアプリケーションは両方ともコンポーネントであり得る。１つまたは複数のコンポーネントは、プロセスおよび／または実行スレッド内に存在し得て、コンポーネントは、１つのコンピュータ上に位置し得る、および／または、２つ以上のコンピュータ間で分散され得る。加えて、これらのコンポーネントは、様々なデータ構造を記憶する様々なコンピュータ可読媒体から実行され得る。例えば、コンポーネントは、ローカルおよび／またはリモートプロセスを使用することによって、例えば、１つまたは複数のデータパケット（例えば、信号を使用することによって他のシステムとやり取りするインターネットなど、ローカルシステム内、分散システム内、および／またはネットワーク間における別のコンポーネントとやり取りする１つのコンポーネントからのデータ）を有する信号に従って通信し得る。
【００５７】
本願の実施形態は、ネットワークスライスアーキテクチャをサポートする様々な通信システム、例えば、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ（登録商標））システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、アドバンスドロングタームエボリューション（Ａｄｖａｎｃｅｄ  ｌｏｎｇ  ｔｅｒｍ  ｅｖｏｌｕｔｉｏｎ、ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、または、次世代通信システム、例えば、新無線（Ｎｅｗ  Ｒａｄｉｏ、ＮＲ）システム、および、拡張型ＬＴＥ（ｅｖｏｌｖｅｄ  ＬＴＥ、ｅＬＴＥ）システムに適用できることを理解されたい。
【００５８】
図１は、本願の実施形態が適用される無線通信システム１００を示す。無線通信システム１００は、ネットワークデバイス１１０を備え得る。ネットワークデバイス１１０は、モバイルデバイスト通信する無線アクセスネットワーク（Ｒａｄｉｏ  Ａｃｃｅｓｓ  Ｎｅｔｗｏｒｋ、ＲＡＮ）デバイス、または、コアネットワーク（Ｃｏｒｅ  Ｎｅｔｗｏｒｋ、ＣＮ）デバイスであり得る。ＲＡＮデバイスは、ＷＬＡＮにおけるアクセスポイント（ＡＣＣＥＳＳ  ＰＯＩＮＴ、ＡＰ）、ＧＳＭ（登録商標）またはＣＤＭＡにおけるベーストランシーバ基地局（Ｂａｓｅ  Ｔｒａｎｓｃｅｉｖｅｒ  Ｓｔａｔｉｏｎ、ＢＴＳ）、ＷＣＤＭＡ（登録商標）におけるノードＢ（ＮｏｄｅＢ、ＮＢ）、ＬＴＥにおける拡張型ノードＢ（Ｅｖｏｌｖｅｄ  Ｎｏｄｅ  Ｂ、ｅＮＢまたはｅＮｏｄｅＢ）、中継ノード、アクセスポイント、車載デバイス、ウェアラブルデバイス、将来の５Ｇネットワークにおけるネットワークデバイス、または、将来の拡張型ＰＬＭＮネットワークにおけるネットワークデバイス、例えば、５Ｇコアネットワークデバイスに接続できる基地局、送受信ポイント（Ｔｒａｎｓｍｉｓｓｉｏｎ  ａｎｄ  Ｒｅｃｅｐｔｉｏｎ  Ｐｏｉｎｔ、ＴＲＰ）、集中型ユニット（Ｃｅｎｔｒａｌｉｚｅｄ  Ｕｎｉｔ、ＣＵ）、または、分散型ユニット（Ｄｉｓｔｒｉｂｕｔｅｄ  Ｕｎｉｔ、ＤＵ）であり得る。ＣＮデバイスは、ＬＴＥにおける移動性管理エンティティ（Ｍｏｂｉｌｉｔｙ  Ｍａｎａｇｅｍｅｎｔ  Ｅｎｔｉｔｙ、ＭＭＥ）、または、ゲートウェイ（Ｇａｔｅｗａｙ）であり得て、更に、制御プレーン（Ｃｏｎｔｒｏｌ  Ｐｌａｎｅ、ＣＰ）ネットワーク機能（Ｎｅｔｗｏｒｋ  Ｆｕｎｃｔｉｏｎ、ＮＦ）、および、５Ｇネットワークにおけるユーザプレーン（Ｕｓｅｒ  Ｐｌａｎｅ、ＵＰ）ネットワーク機能、例えば、共通のＣＰ  ＮＦ（Ｃｏｍｍｏｎ  ＣＰ  ＮＦ、ＣＣＮＦ）、セッション管理ＮＦ（Ｓｅｓｓｉｏｎ  Ｍａｎａｇｅｍｅｎｔ  ＮＦ、ＳＭＦ）、または同様のものであり得る。
【００５９】
本願の本実施形態における通信システムは、ネットワークスライスアーキテクチャをサポートし、通信システムにおけるネットワークスライスは、ネットワークデバイスおよび／またはネットワークリソースを共有し得る、または、ネットワークデバイスおよび／またはネットワークリソースを排他的に占有し得る。例えば、図１に示されるネットワークスライスＡ（略称：ＮＳ  Ａ）およびネットワークスライスＢ（略称：ＮＳ  Ｂ）は、ＲＡＮおよびＣＣＮＦを共有し得て、ネットワークスライスＣ（略称：ＮＳ  Ｃ）は、ネットワークデバイスＲＡＮを排他的に占有し得て、別のネットワークスライスとＣＮデバイスを共有しない。
【００６０】
加えて、本願の本実施形態において、ネットワークデバイスは、セルにサービスを提供し、端末デバイスは、セルによって使用される送信リソース（例えば、周波数ドメインリソースまたはスペクトルリソース）を使用することによってネットワークデバイスと通信する。セルは、ネットワークデバイス（例えば基地局）に対応するセルであり得て、セルは、マクロ基地局、ハイパーセルであり得る、または、スモールセル（ｓｍａｌｌ  ｃｅｌｌ）に対応する基地局であり得る。ここで、スモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。これらのスモールセルは、小さいカバレッジ、および、低い送電力を特徴とし、高速データ送信サービスに適用可能である。
【００６１】
無線通信システム１００は、ネットワークデバイス１１０のカバレッジ内に位置する少なくとも１つの端末デバイス１２０を更に含む。端末デバイスはまた、ユーザ機器（Ｕｓｅｒ  Ｅｑｕｉｐｍｅｎｔ、ＵＥ）、アクセス端末、加入者ユニット、加入者局、移動局、リモート局、リモート端末、モバイルデバイス、ユーザ端末、端末、無線通信デバイス、ユーザエージェント、またはユーザ機器と称され得る。端末デバイスは、無線ローカルエリアネットワーク（Ｗｉｒｅｌｅｓｓ  Ｌｏｃａｌ  Ａｒｅａ  Ｎｅｔｗｏｒｋ、ＷＬＡＮ）における局（ＳＴＡＴＩＯＮ、ＳＴ）、セルラ電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、中継デバイス、コンピューティングデバイス、無線モデムに接続される別の処理デバイス、車載デバイス、ウェアラブルデバイス、例えば第５世代（ｆｉｆｔｈ−ｇｅｎｅｒａｔｉｏｎ、５Ｇ）ネットワークなどの次世代通信システムにおける端末デバイス、将来の拡張型公衆移動通信ネットワーク（Ｐｕｂｌｉｃ  Ｌａｎｄ  Ｍｏｂｉｌｅ  Ｎｅｔｗｏｒｋ、ＰＬＭＮ）ネットワークにおける端末デバイス、または同様のものであり得る。
【００６２】
非限定的な例として、本願の本実施形態において、端末デバイスはまた、ウェアラブルデバイスであり得る。ウェアラブルデバイスはまた、ウェアラブルスマートデバイスと称され得て、ウェアラブル技術を応用して、眼鏡、手袋、腕時計、衣類、または靴など、日常で身に付けるものについて、インテリジェント設計を実行するために開発されるウェアラブルなデバイスの総称である。ウェアラブルデバイスは、人体上で直接着用される、または、ユーザの衣類もしくはアクセサリに組み込まれるポータブルデバイスである。ウェアラブルデバイスは、単なるハードウェアデバイスではなく、ソフトウェアサポート、データ交換、および、クラウドベースのやり取りを通じて、強力な機能を実装する。広い意味では、ウェアラブルスマートデバイスは、全範囲の機能、および、大きいサイズを有し、全部または一部の機能を実装するのにスマートフォンに依存せず、例えば、スマートウォッチ、スマートグラスなどである、または、ウェアラブルスマートデバイスは、１種類のアプリケーション機能のみに集中し、スマートフォンなどの他のデバイスと連携する必要があり、例えば、身体の兆候をモニタリングするための、様々なスマートバンドおよびスマートジュエリーなどである。
【００６３】
本願の実施形態において提供される通信方法および通信機器はネットワークデバイスに適用され得る。ネットワークデバイスは、アクセスネットワークデバイスおよびコアネットワークデバイスを備え得て、ネットワークデバイスは、ハードウェア層、ハードウェア層上で動作するオペレーティングシステム層、および、オペレーティングシステム層上で実行するアプリケーション層を含む。ハードウェア層は、中央演算処理装置（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）およびメモリ（メインメモリとも称される）などのハードウェアを含む。オペレーティングシステムは、Ｌｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳ（登録商標）オペレーティングシステム、または、Ｗｉｎｄｏｗｓ（登録商標）オペレーティングシステムなど、プロセス（Ｐｒｏｃｅｓｓ）を使用することによってサービス処理を実装する任意の１つまたは複数のタイプのコンピュータオペレーティングシステムであり得る。アプリケーション層は、ブラウザ、アドレス帳、ワードプロセッシングソフトウェア、または、インスタントメッセージングソフトウェアなどのアプリケーションを含む。加えて、本願の実施形態において、本願の実施形態における通信方法を記録するコードを動作するプログラムを使用することによって、本願の実施形態における通信方法に基づいて通信を実装できる限り、通信方法の実行主体の具体的な構造は、本願の実施形態に特に限定されるものではない。例えば、本願の実施形態における通信方法の実行主体はネットワークデバイスであり得る、または、プログラムを呼び出してプログラムを実行できるネットワークデバイスにおける機能モジュールであり得る。
【００６４】
加えて、本願の実施形態の態様または特徴は、標準的プログラムおよび／または工学技術を使用する方法、機器または製品として実装され得る。本願において使用される「製品」という用語は、任意のコンピュータ可読コンポーネント、キャリアまたは媒体からアクセスできるコンピュータプログラムを包含する。例えば、コンピュータ可読媒体は、これらに限定されないが、磁気記憶コンポーネント（例えば、ハードディスク、フロッピー（登録商標）ディスク、または、磁気テープ）、光ディスク（例えば、コンパクトディスク（Ｃｏｍｐａｃｔ  Ｄｉｓｃ、ＣＤ））、デジタルバーサタイルディスク（Ｄｉｇｉｔａｌ  Ｖｅｒｓａｔｉｌｅ  Ｄｉｓｃ、ＤＶＤ））、スマートカードおよびフラッシュメモリコンポーネント（例えば、消去可能プログラマブルリードオンリメモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ））、カード、スティックまたはキードライブを含み得る。加えて、本明細書において説明される様々な記憶媒体は、情報を記憶するために使用される１つまたは複数のデバイスおよび／または他の機械可読媒体を示し得る。「機械可読媒体」という用語は、これらに限定されないが、無線チャネルに、および、命令および／またはデータを記憶、格納、および／または、保持できる様々な他の媒体を含み得る。
【００６５】
以下では、図２から図６を参照して本願の実施形態における通信方法を詳細に説明する。
【００６６】
図２から図６は、本願の実施形態における通信方法の概略的フローチャートであり、方法の詳細な通信の段階またはオペレーションを示すことを理解されたい。しかしながら、これらの段階またはオペレーションは単に例に過ぎない。本願の実施形態において、図２から図６における他のオペレーションまたはオペレーションの変形例が代替的に実行され得る。加えて、図２から図６における各段階は、図２から図６に示されるものとは異なる順序に従って実行され得て、場合によっては、図２から図６における全部のオペレーションを実行する必要はない。
【００６７】
図２は、本願の一実施形態に係る通信方法２００の概略相互作用図である。通信方法２００は、装置のやり取りの観点から説明されている。方法２００は、図１に示される通信システム１００に適用され得る。
【００６８】
図２に示されるように、２０１において、第１ネットワークノードは、第１メッセージを第２ネットワークノードへ送信し得る。
【００６９】
２０２において、第１ネットワークノードは、第２ネットワークノードによって送信された第１応答メッセージを受信する。
【００７０】
第１ネットワークノードは、端末デバイスによって現在アクセスされる第１アクセスネットワークノード（以下では「ＲＡＮ１ノード」と称される）であり、第２ネットワークノードは第１コアネットワークノードであり得て、第１コアネットワークノード（以下では「ＣＮ１ノード」と称される）は、ＲＡＮ１ノードが属する通信システムにおけるコアネットワークノードである、または、第２ネットワークノードは、端末デバイスによってアクセスされる予定の第２アクセスネットワークノード（以下では「ＲＡＮ２」と称される）であり得る。
【００７１】
更に、第１メッセージは、第１ネットワークスライスセット（区別および説明を容易にするべく、ＮＳ  Ｓｅｔ１として表される）における少なくとも１つのネットワークスライスに対応するネットワークスライス識別子を含む。各ネットワークスライスは、１つのネットワークスライス識別子に対応する。第１メッセージは、第１ネットワークスライスセットにおける一部または全部のネットワークスライスに対応するネットワークスライス識別子を含み得る。第１メッセージにおける第１ネットワークスライスセットにおける少なくとも１つのネットワークスライスはまた、１つのセット（説明および解釈を容易にするべく、ＮＳ  Ｓｅｔ１−ＲＡＮ１と表される）として考慮され得る。具体的に、ＮＳ  Ｓｅｔ１−ＲＡＮ１は、ＮＳ  Ｓｅｔ１のサブセットであり、ＮＳ  Ｓｅｔ１−ＲＡＮ１は、ＮＳ  Ｓｅｔ１における一部または全部のネットワークスライスを含み得る。
【００７２】
第１応答メッセージは、第２ネットワークスライスセット（区別および説明を容易にするべく、ＮＳ  Ｓｅｔ２として表される）における少なくとも１つのネットワークスライスに対応するネットワークスライス識別子を含む。第２ネットワークスライスセットは、第２ネットワークノードによって決定される、端末デバイスによるアクセスのために使用されるネットワークスライスであり得る。代替的に、第２ネットワークスライスセットは、第２コアネットワークノード（以下では「ＣＮ２ノード」と称される）によって決定される、端末デバイスによるアクセスのために使用されるネットワークスライスを含む。ＣＮ２ノードは、ＲＡＮ２が属する通信システムにおけるコアネットワークノードである。言い換えれば、第２ネットワークスライスセットはＲＡＮ２によって決定され得る、または、ＣＮ１によって決定され得る、または、ＣＮ２によって決定され得る。ＲＡＮ１およびＲＡＮ２が同一の通信システムに属するとき、ＣＮ１およびＣＮ２は同一のコアネットワークノードである。
【００７３】
具体的には、説明および解釈を容易にするべく、第２ネットワークスライスセットがＲＡＮ２によって決定されたとき、ＮＳ  Ｓｅｔ２は、ＮＳ  Ｓｅｔ２−ＲＡＮ２として表される。第２ネットワークスライスセットがＣＮ１によって決定されるとき、ＮＳ  Ｓｅｔ２はＮＳ  Ｓｅｔ２−ＣＮ１として表される。第２ネットワークスライスセットがＣＮ２によって決定されるとき、ＮＳ  Ｓｅｔ２はＮＳ  Ｓｅｔ２−ＣＮ２として表される。
【００７４】
任意選択的に、ＲＡＮ１ノードおよびＲＡＮ２ノードは、図１に示される無線通信システムにおけるネットワークデバイス、例えば、５Ｇシステムにおける基地局、ｅＬＴＥシステムにおける基地局、または、５Ｇコアネットワークに接続できるＬＴＥシステムにおける基地局であり得る。ＣＮ１ノードおよびＣＮ２ノードは、５Ｇシステムにおけるコアネットワークデバイス、または、ｅＬＴＥシステムにおけるコアネットワークデバイスであり得る。端末デバイスは、図１に示される無線通信システムにおける端末デバイスであり得る。
【００７５】
具体的には、端末デバイスがアクセスを希望する（または、アクセスすることを選択する、または、アクセス可能な）ネットワークスライスは、第１ネットワークスライスセット、すなわち、ＮＳ  Ｓｅｔ１を形成する。ＮＳ  Ｓｅｔ１における各ネットワークスライスは、１つのネットワークスライス識別子に対応する。各ネットワークスライスのネットワークスライス識別子は、少なくとも１つのパラメータを使用することによって表され得る。１．ネットワークスライスタイプ情報：例えば、ネットワークスライスタイプ情報は、エンハンスドモバイルブロードバンド（ｅｎｈａｎｃｅｄ  Ｍｏｂｉｌｅ  ＢｒｏａｄＢａｎｄ、ｅＭＢＢ）サービス、超高信頼性および低レイテンシ通信（Ｕｌｔｒａ−Ｒｅｌｉａｂｌｅ  Ｌｏｗ  Ｌａｔｅｎｃｙ  Ｃｏｍｍｕｎｉｃａｔｉｏｎｓ、ＵＲＬＬＣ）、および、大容量マシンタイプ通信（ｍａｓｓｉｖｅ  Ｍａｃｈｉｎｅ  Ｔｙｐｅ  Ｃｏｍｍｕｎｉｃａｔｉｏｎ、ｍＭＴＣ）などのネットワークスライスタイプを示し得る。任意選択的に、ネットワークスライスタイプ情報はまた、ＲＡＮ‐ＣＮネットワークスライスタイプ、ＲＡＮ側ネットワークスライスタイプ、または、ＣＮ側ネットワークスライスタイプを含む、エンドツーエンドのネットワークスライスタイプを示し得る。２．サービスタイプ情報：特定のサービスに関連する。例えば、サービスタイプ情報は、ビデオサービス、インターネットオブビークルサービス、音声サービスなどのサービス特性、または、特定のサービスについての情報を示し得る。３．テナント（Ｔｅｎａｎｔ）情報：ネットワークスライスを作成またはリースするクライアントについての情報を示すために使用される。例えば、ＴｅｎｃｅｎｔまたはＳｔａｔｅ  Ｇｒｉｄなど。４．ユーザグループ情報：例えばユーザレベルなどの特性に基づいてユーザをグループ化するグループ情報を示すために使用される。５．スライスグループ情報：特性に基づいて形成されるネットワークスライスグループを示すために使用される。例えば、端末デバイスがアクセスできるすべてのネットワークスライスは、スライスグループとして使用される、または、ネットワークスライスグループは別の標準に従って分類される。６．ネットワークスライスインスタンス情報：ネットワークスライスのために作成されるインスタンス識別子および特性情報を示すために使用される。例えば、識別子は、ネットワークスライスインスタンスに割り当てられることができ、ネットワークスライスインスタンスを示すために使用される。代替的に、ネットワークスライスインスタンス識別子に基づいて、新しい識別子をマッピングしてネットワークスライスインスタンスを関連付けることができる、その結果、受信側は、識別子に基づいて、識別子によって示される特定のネットワークスライスインスタンスを識別できる。７．専用コアネットワーク（Ｄｅｄｉｃａｔｅｄ  Ｃｏｒｅ  Ｎｅｔｗｏｒｋ、ＤＣＮ）識別子：識別子は、例えば、インターネットオブシングスにおける専用コアネットワークなど、ＬＴＥシステムまたはｅＬＴＥシステムにおける専用コアネットワークを一意に示すために使用される。任意選択的に、マッピングはＤＣＮ識別子およびネットワークス���イス識別子に対して実行され得て、その結果、ネットワークスライス識別子は、ＤＣＮ識別子に基づいてマッピングを通じて取得され得る、または、ＤＣＮ識別子は、ネットワークスライス識別子に基づいてマッピングを通じて取得され得る。
【００７６】
本願の本実施形態において、第１ネットワークスライスセットまたは第２ネットワークスライスセットにおける各ネットワークスライスについて、各ネットワークスライスに対応するネットワークスライス識別子を表すために、上述のパラメータの少なくとも１つが使用され得ることを理解されたい。例えば、各ネットワークスライスのネットワークスライス識別子は、ネットワークスライスタイプを使用することによって表すことができ、ネットワークスライスタイプおよびサービスタイプを使用することによって表され得る、または、テナント情報と共にサービスタイプを使用することによって表され得る。このことは、本願の本実施形態において限定されない。ネットワークスライスに対応するネットワークスライス識別子をどのように表すかについての詳細を、以下では再度説明しない。
【００７７】
任意選択的に、第１メッセージに含まれる、第１ネットワークスライスセットにおける少なくとも１つのネットワークスライスに対応するネットワークスライス識別子の符号化の具体的な形式は限定されない。少なくとも１つのネットワークスライスに対応するネットワークスライス識別子は、異なるネットワークスライス識別子を表すべく、第１メッセージの異なるフィールドにおいて搬送され得る、または、少なくとも１つのネットワークスライスに対応するネットワークスライス識別子は、抽象化されたインデックス値を使用することによって置き換えられ得て、異なるインデックス値は、異なるネットワークスライスに対応する。
【００７８】
任意選択的に、第１メッセージはハンドオーバ要求（Ｈａｎｄｏｖｅｒ  Ｒｅｑｕｅｓｔ）メッセージであり得る。代替的に、第２ネットワークノードがＲＡＮ２ノードである場合、第１メッセージは、ＲＡＮ１ノードとＲＡＮ２ノードとの間の通信に使用される別のメッセージであり得る。代替的に、第２ネットワークノードがＣＮ１ノードである場合、第１メッセージは、ハンドオーバ要請（Ｈａｎｄｏｖｅｒ  Ｒｅｑｕｉｒｅｄ）メッセージであり得る、または、ＲＡＮ１ノードとＣＮ１ノードとの間の通信に使用される別のメッセージであり得る。
【００７９】
これに対応して、第１応答メッセージは、ハンドオーバ要求確認（Ｈａｎｄｏｖｅｒ  Ｒｅｑｕｅｓｔ  Ａｃｋｎｏｗｌｅｄｇｅ）メッセージであり得る。代替的に、第２ネットワークノードがＲＡＮ２ノードである場合、第１応答メッセージは、ＲＡＮ１ノードとＲＡＮ２ノードとの間の通信に使用される別のメッセージであり得る。代替的に、第２ネットワークノードがＣＮ１ノードである場合、第１応答メッセージは、ハンドオーバコマンド（Ｈａｎｄｏｖｅｒ  Ｃｏｍｍａｎｄ）メッセージであり得る、または、ＲＡＮ１ノードとＣＮ１ノードとの間の通信に使用される別のメッセージであり得る。
【００８０】
任意選択的に、実施形態において、２０１の前に、方法２００は２１０を更に含み得る。２１０において、第１ネットワークノードは、端末デバイスまたは第１コアネットワークノードによって送信された第３メッセージを受信する。第３メッセージは、第１ネットワークスライスセットにおける各ネットワークスライスに対応するネットワークスライス識別子を含む。
【００８１】
言い換えれば、第１ネットワークスライスセットは、端末デバイスがアクセスする必要があるネットワークスライスを含み、第３メッセージは、第１ネットワークスライスセットにおけるネットワークスライスに対応するネットワークスライス識別子を含み得て、ＲＡＮ１ノードは、第３メッセージに基づいて、第１ネットワークスライスセットにおけるネットワークスライスに対応するネットワークスライス識別子を決定し得る。第３メッセージは端末デバイスによって送信され得る、または、第１コアネットワークノードによって送信され得る。具体的には、第１ネットワークスライスセットにおけるネットワークスライスに対応するネットワークスライス識別子は、端末デバイスによってＲＡＮ１ノードに通知され得る、または、第１コアネットワークノード、すなわち、ＣＮ１ノードによってＲＡＮ１ノードに通知され得る。
【００８２】
具体的には、第３メッセージが端末デバイスによって送信された場合、第３メッセージは、無線リソース制御接続要求（（Ｒａｄｉｏ  Ｒｅｓｏｕｒｃｅ  Ｃｏｎｔｒｏｌ、ＲＲＣ）  Ｃｏｎｎｅｃｔｉｏｎ  Ｒｅｑｕｅｓｔ）、ＲＲＣ接続再確立要求（ＲＲＣ  Ｃｏｎｎｅｃｔｉｏｎ  Ｒｅｅｓｔａｂｌｉｓｈｍｅｎｔ  Ｒｅｑｕｅｓｔ）、または、ＲＲＣ接続セットアップ完了（ＲＲＣ  Ｃｏｎｎｅｃｔｉｏｎ  Ｓｅｔｕｐ  Ｃｏｍｐｌｅｔｅ）メッセージであり得て、ここで、ＲＲＣ接続要求は、ネットワークデバイスとの接続を確立することを要求するために使用され、ＲＲＣ接続再確立要求は、ネットワークデバイスへの接続を再確立することを要求するために使用され、ＲＲＣ接続セットアップ完了メッセージは、ネットワークデバイスとの接続の確立が完了したことを示すために使用される。
【００８３】
代替的に、第３メッセージがＣＮ１ノードによって送信された場合、第３メッセージは、ＲＡＮ１ノードとＣＮ１ノードとの間のインタフェースを確立することを要求するメッセージ、初回ＵＥコンテキストセットアップメッセージ、またはＲＡＮノードとＣＮノードとの間の通信に使用される別のメッセージであり得る。ＣＮ１ノードは、第３メッセージをＲＡＮ１ノードへ自発的に送信し得る、または、ＲＡＮ１ノードの要求メッセージに基づいて、第３メッセージをＲＡＮ１ノードへ送信し得る。
【００８４】
図３は、本願の別の実施形態に係る通信方法の概略相互作用図である。図３に示される方式において、ＲＡＮ１ノードは、端末デバイスがアクセスする必要がある（または、アクセスすることを選択する、または、アクセスする必要がある）ネットワークスライスについての情報をＣＮ１ノードから取得し得る。
【００８５】
図３に示すように、方法３００は、以下に挙げる段階を備え得る。
【００８６】
３０１．ＣＮ１ノードは、第１ネットワークスライス管理要求メッセージをＲＡＮ１ノードへ送信し得る。任意選択的に、第１ネットワークスライス管理要求メッセージは、端末デバイスのコンテキスト管理、サービス管理、負荷管理、および、同様のものに使用され得る。第１ネットワークスライス管理要求メッセージは、初回ＵＥコンテキストセットアップメッセージ、ベアラ確立要求、または、ＲＡＮノードとＣＮノードとの間の通信に使用される別のメッセージであり得る。このことは、本願の本実施形態において限定されない。
【００８７】
任意選択的に、第１ネットワークスライス管理要求メッセージは、以下の少なくとも１つを含み得る。１．端末デバイスに対応する識別子。端末デバイスに対応する識別子は、端末デバイスを一意に識別できる識別情報であり得る。国際移動体加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  ｎｕｍｂｅｒ、ＩＭＳＩ）、一時的移動体加入者識別子（Ｔｅｍｐｏｒａｒｙ  Ｍｏｂｉｌｅ  Ｓｕｂｓｃｒｉｂｅｒ  Ｉｄｅｎｔｉｆｉｃａｔｉｏｎ  ｎｕｍｂｅｒ、ＴＭＳＩ）、または、ランダム数などであり得る。２．第１ネットワークスライスセットにおける少なくとも１つのネットワークスライスに対応する周波数優先度およびアクセス技術優先度：端末移動性管理に使用される。例えば、端末は、周波数優先度に基づいて、セル選択または再選択の優先度を決定して、高い周波数優先度を有するターゲットセルを選択し得る。３．第１ネットワークスライスセットにおける少なくとも１つのネットワークスライスに対応する優先度。端末デバイスのモビリティ管理、アドミッション制御および同様のものに使用される。例えば、端末デバイスがアイドル状態または非アクティブ状態にあるとき、端末デバイスは、セル選択またはセル再選択において高優先度セルをサポートすることを考慮し得る。ハンドオーバ準備段階において、ソース側ＲＡＮノードは、高優先度ネットワークスライスにおける隣接するＲＡＮノードを、ハンドオーバのターゲット側ＲＡＮノードとしてサポートすることを優先的に考慮し得て、ターゲット側ＲＡＮノードは更に、高優先度ネットワークスライスに対応するサービスベアラを優先的に承認し得る。４．第１ネットワークスライスセットにおける少なくとも１つのネットワークスライスに対応する加入者限定グループ（Ｃｌｏｓｅｄ  Ｓｕｂｓｃｒｉｂｅｒ  Ｇｒｏｕｐ）に関連する設定情報。例えば、端末がＣＳＧメンバであるかどうかを示すために使用されるＣＳＧメンバ状態。５．第１ネットワークスライスセットにおける少なくとも１つのネットワークスライスに対応する追跡（ｔｒａｃｅ）情報。デバイスのコミッショニングに使用される。例えば、追跡開始、追跡終了およびセルサービス追跡。６．第１ネットワークスライスセットにおける少なくとも１つのネットワークスライスに対応するドライブテストの最小化（Ｍｉｎｉｍｉｚａｔｉｏｎ  ｏｆ  Ｄｒｉｖｅ  Ｔｅｓｔｓ、ＭＤＴ）パラメータ。例えば、ドライブテストの最小化が許可されるか否か、公衆移動通信ネットワーク（Ｐｕｂｌｉｃ  Ｌａｎｄ  Ｍｏｂｉｌｅ  Ｎｅｔｗｏｒｋ、ＰＬＭＮ）のリスト、セル、および、ドライブテストの最小化を許可するトラッキングエリア。７．第１ネットワークスライスセットにおける少なくとも１つのネットワークスライスに対応するサービス情報。例えば、ベアラ関連、セッション関連、および、ストリーム関連の確立、修正または解放についての情報。８．第１ネットワークスライスセットにおける少なくとも１つのネットワークスライスに対応する負荷情報。例えば、負荷制御を実行するようＲＡＮノードに命令するために使用されるサービス減少インジケーション情報、または、ネットワークスライスの負荷���御の終了を示すために使用される過負荷終了インジケーション情報。９．端末デバイスによるアクセスを禁止された、または、アクセスを許可されたネットワークスライスに対応するネットワークスライス識別子。端末デバイスによるアクセスを禁止された、または、アクセスを許可された少なくとも１つのネットワークスライスを示すために使用される。１０．端末デバイスによるアクセスを禁止された、または、アクセスを許可されたネットワークスライスに対応するセル識別子。端末デバイスによるアクセスを禁止された、または、アクセスを許可されたネットワークスライスに対応する少なくとも１つのセルを示すために使用される。任意選択的に、端末デバイスによるアクセスを禁止された、または、アクセスを許可されたネットワークスライスに対応するセル識別子は、ネットワークスライス優先度に基づいてソートされ得て、端末デバイスモビリティ管理に使用され得る。例えば、端末デバイスは、端末デバイスがアイドル状態または非アクティブ状態にあるとき、高優先度セルを優先的に選択または再選択し得る。ハンドオーバ準備段階において、ソース側ＲＡＮネットワーク要素は、高優先度セルが位置する、隣接するＲＡＮネットワーク要素を、ターゲット側ＲＡＮネットワーク要素としてサポートすることを優先的に考慮し得る。１１．端末デバイスによるアクセスを禁止された、または、アクセスを許可されたネットワークスライスに対応するトラッキングエリア識別子またはコードは、端末デバイスによるアクセスを禁止された、または、アクセスを許可された少なくとも１つのトラッキングエリアを示すために使用される。任意選択的に、端末デバイスによるアクセスを禁止された、または、アクセスを許可されたネットワークスライスに対応するトラッキングエリア識別子またはコードにおけるトラッキングエリア識別子またはコードは、ネットワークスライス優先度に基づいてソートされ得て、端末デバイスモビリティ管理のために使用され得る。例えば、端末デバイスがアイドル状態または非アクティブ状態にあるとき、端末デバイスは、高優先度トラッキングエリアが位置するセルを優先的に選択または再選択し得る。ハンドオーバ準備段階において、ソース側ＲＡＮネットワーク要素は、高優先度エリアが位置する隣接するＲＡＮネットワーク要素を、ターゲット側ＲＡＮネットワーク要素として優先的に考慮し得る。１２．端末デバイスによるアクセスを禁止された、または、アクセスを許可されたネットワークスライスに対応するページングエリア識別子。端末デバイスによるアクセスを禁止された、または、アクセスを許可されたコアネットワークおよび／またはアクセスネットワークの少なくとも１つのページングエリアを示すために使用される。任意選択的に、端末デバイスによるアクセスを禁止された、または、アクセスを許可されたネットワークスライスに対応するページングエリア識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ページングエリアが位置するセルを優先的に選択または再選択し得る。ハ���ドオーバ準備段階において、ソース側ＲＡＮネットワーク要素は、高優先度ページングエリアが位置する、隣接するＲＡＮネットワーク要素を、ターゲット側ＲＡＮネットワーク要素としてサポートすることを優先的に考慮し得る。１３．端末デバイスによるアクセスを禁止された、または、アクセスを許可されたネットワークスライスに対応する公衆移動通信ネットワーク（Ｐｕｂｌｉｃ  Ｌａｎｄ  Ｍｏｂｉｌｅ  Ｎｅｔｗｏｒｋ、ＰＬＭＮ）識別子。端末デバイスに現在サービスを提供するＰＬＭＮの識別子、および／または、端末デバイスによるアクセスを許可された同等のＰＬＭＮ識別子リストを示すために使用される。任意選択的に、端末デバイスによるアクセスを禁止された、または、アクセスを許可されたネットワークスライスに対応するＰＬＭＮ識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ＰＬＭＮが位置するセルを優先的に選択または再選択し得る。ハンドオーバ準備段階において、ソース側ＲＡＮネットワーク要素は、高優先度ＰＬＭＮが位置する、隣接するＲＡＮネットワーク要素を、ターゲット側ＲＡＮネットワーク要素としてサポートすることを優先的に考慮し得る。１４．ネットワークスライス再選択ポリシー。ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【００８８】
上述の説明に関連して、第３メッセージが第１コアネットワークノード、すなわち、ＣＮ１ノードによって送信される場合、ＣＮ１ノードは、図３に示される段階３０１を使用することによって、第３メッセージをＲＡＮ１ノードへ送信し得て、端末デバイスがアクセスを希望するネットワークスライスについての情報をＲＡＮ１ノードに通知することが分かる。この場合、第３メッセージは、図３に示される３０１における第１ネットワークスライス管理要求メッセージであり得る。
【００８９】
したがって、第３メッセージが第１コアネットワークノード、すなわち、ＣＮ１ノードによって送信された場合、第３メッセージは第１ネットワークスライス管理要求メッセージであり得て、その結果、２０１において、第３メッセージは、上で説明された第１ネットワークスライス管理要求メッセージに含まれる少なくとも１つの情報、例えば、端末デバイスによるアクセスを禁止されているネットワークスライスに対応するネットワークスライス識別子、セル識別子、トラッキングエリア識別子またはコード、ページングエリア識別子およびＰＬＭＮ識別子；端末デバイスによるアクセスを許可されたネットワークスライスに対応するネットワークスライス識別子、セル識別子、トラッキングエリア識別子またはコード、ページングエリア識別子およびＰＬＭＮ識別子；ネットワークスライス再選択ポリシー；ならびに第１ネットワークスライスセットにおける少なくとも１つのネットワークスライスに対応するセキュリティ情報およびサービス情報を更に含み得る。
【００９０】
任意選択的に、図３に示されるように、３０２において、ＲＡＮ１ノードは更に、第１ネットワークスライス管理要求応答メッセージをＣＮ１ノードへ送信し得て、第１ネットワークスライス管理要求応答メッセージは、ＲＡＮ１ノードが、ＣＮ１ノードの第１ネットワークスライス管理要求メッセージを承諾するか、または、拒否するかを示し得る。ＲＡＮ１ノードがＣＮ１ノードの第１ネットワークスライス管理要求メッセージを拒否した場合、第１ネットワークスライス管理要求応答メッセージは更に、拒否原因を保持し得て、例えば、拒否原因は、第１ネットワークスライスセットにおける一部または全部のネットワークスライスの管理要求を満たすことができないことであり得る。
【００９１】
図３に示されるように、３０３において、ＲＡＮ１ノードは更に、第２ネットワークスライス管理要求メッセージをＣＮ１ノードへ送信し得る。任意選択的に、第２ネットワークスライス管理要求メッセージは、ＲＡＮ１ノードによって現在サポートされるネットワークスライスについての情報をＣＮ１ノードに通知するために使用され得る。この場合、第２ネットワークスライス管理要求メッセージは、ＲＡＮ１ノードによってサポートされるネットワークスライスについての情報を含み得る。情報の詳細な内容については、上述の説明を参照されたい。簡潔にするために、詳細はここで再度説明しない。
【００９２】
任意選択的に、第２ネットワークスライス管理要求メッセージは更に、端末デバイスのコンテキスト管理、サービス管理、負荷管理、および、同様のものに使用され得る。この場合、第２ネットワークスライス管理要求メッセージは、以下の少なくとも１つを含み得る。１．ＲＡＮノード識別子：ＲＡＮノード識別子は、ＲＡＮノードを全域的に一意に識別するために使用される。２．第１ネットワークスライスセットにおける少なくとも１つのネットワークスライスに対応するセル情報。例えば、少なくとも１つのネットワークスライスが位置する、ＲＡＮノードのサービングセルのセル識別子、物理セル識別子、周波数情報、トラッキングエリア識別子またはコード、ページングエリア識別子および物理アクセスチャネル設定情報、ならびに、各サービングセルの隣接するセルのセル識別子、物理セル識別子、周波数情報、トラッキングエリア識別子またはコード、ページングエリア識別子、および、物理アクセスチャネル設定情報。３．第１ネットワークスライスセットにおける少なくとも１つのネットワークスライスに対応する、解放される予定のベアラリスト、解放される予定のセッションリスト、および、解放される予定のストリームリスト。それぞれ、ＣＮ１ノードが、端末デバイスによって確立されたベアラ、セッションまたはストリームを解放する必要があることを示すために使用される。４．第１ネットワークスライスセットにおける少なくとも１つのネットワークスライスに対応する、修正される予定のベアラリスト、修正される予定のセッションリスト、および、修正される予定のストリームリスト。それぞれ、ＣＮ１ノードが、端末デバイスによって確立されたベアラ、セッションまたはストリームの関連するサービス情報を修正する必要があることを示すために使用される。５．第１ネットワークスライスセットにおける少なくとも１つのネットワークスライスに対応する、解放される予定の端末コンテキストリスト。ＲＡＮ１ノードとＣＮ１ノードとの間で確立された、対応するネットワークスライスに固有のインタフェースを解放するようＣＮ１ノードに要求するために使用される。６．第１ネットワークスライスセットにおける少なくとも１つのネットワークスライスに対応する、修正される予定の端末コンテキストリスト。ネットワークスライスに対応する、修正される予定のコンテキスト情報、例えば、加入者限定グループ（Ｃｌｏｓｅｄ  Ｓｕｂｓｃｒｉｂｅｒ  Ｇｒｏｕｐ、ＣＳＧ）メンバ情報をＣＮ１ノードに要求するために使用される。
【００９３】
任意選択的に、第２ネットワークスライス管理要求メッセージは、ＲＡＮ１ノードとＣＮ１ノードとの間のインタフェースを確立することを要求するメッセージ、ＵＥコンテキスト解放メッセージ、または、ＲＡＮノードとＣＮノードとの間の通信に使用される別のメッセージであり得る。このことは、本願の本実施形態において限定されない。
【００９４】
したがって、通信システムにおけるＲＡＮノードは、３０３において説明された方式で、第２ネットワークスライス管理要求を、ＲＡＮノードが属する通信システムにおけるＣＮノードへ送信し得て、これにより、ＲＡＮノードによってサポートされるネットワークスライスについての情報をＣＮノードに通知する。このようにして、ＣＮノードは、ＲＡＮノードによってサポートされるネットワークスライスについての情報に基づいて、モビリティ管理を実行でき、例えば、ＲＡＮノードによってサポートされるネットワークスライスについての情報に基づいて、端末デバイスのために、アクセスされる予定のネットワークスライスを決定する。
【００９５】
３０３は、２０１の前の任意の時間に実行され得ることを理解されたい。例えば、ＲＡＮ１ノードは、第１メッセージを送信する少し前の時点において、第２ネットワークスライス管理要求メッセージを送信し得る。言い換えれば、３０３は、２０１の少し前の時点で実行される。代替的に、３０３は、２０１の一定期間前に実行され得る。例えば、ＲＡＮ１ノードは、特定の時間に、第２ネットワークスライス管理要求メッセージをＣＮ１へ送信して、ＲＡＮ１ノードによってサポートされるネットワークスライスの状態をＣＮ１ノードに通知し得て、これにより、ＣＮ１ノードによるその後のモビリティ管理を容易にする。この場合、ＲＡＮ１が第１メッセージをＣＮ１へ送信するとき、ＣＮ１ノードは、ＲＡＮ１ノードによってサポートされるネットワークスライスの状態に基づいて、端末デバイスのために、アクセスされる予定のネットワークスライスを決定し得る。
【００９６】
任意選択的に、ＲＡＮ２ノードはまた、３０３において説明される方式で、対応するネットワークスライス管理要求メッセージをＣＮ１ノードへ送信でき、これにより、ＲＡＮ２ノードによってサポートされるネットワークスライスの状態をＣＮ１ノードに通知する。言い換えれば、通信システムにおけるアクセスネットワークノードは、３０３において説明される方式で、対応するネットワークスライス管理要求メッセージを、アクセスネットワークノードが属する通信システムにおけるコアネットワークノードへ送信して、アクセスネットワークノードによってサポートされるネットワークスライスの状態をコアネットワークノードに通知し得て、その結果、通信システムにおけるコアネットワークノードは、各アクセスネットワークノードによってサポートされるネットワークスライスの状態に基づいて、端末デバイスのために、適切なネットワークスライスを選択できる。
【００９７】
任意選択的に、図３に示されるように、３０４において、ＣＮ１ノードは更に、第２ネットワークスライス管理要求応答メッセージをＲＡＮ１ノードへ送信し得て、第２ネットワークスライス管理要求応答メッセージは、ＣＮ１ノードが、ＲＡＮ１ノードによって送信された第２ネットワークスライス管理要求メッセージの受信に成功したことを示すために使用される。
【００９８】
任意選択的に、第１ネットワークスライスセットにおける各ネットワークスライスに対応するネットワークスライス識別子に加えて、第１メッセージは、端末デバイスによるアクセスを禁止されたネットワークスライスに対応するネットワークスライス識別子、セル識別子、トラッキングエリア識別子またはコード、ページングエリア識別子および公衆陸上移動ネットワークＰＬＭＮ識別子；端末デバイスによるアクセスを許可されたネットワークスライスに対応するネットワークスライス識別子、セル識別子、トラッキングエリア識別子またはコード、ページングエリア識別子およびＰＬＭＮ識別子；ネットワークスライス再選択ポリシー；第１ネットワークスライスセットにおける少なくとも１つのネットワークスライスに対応するセキュリティ情報およびサービス情報の少なくとも１つを更に含み得て、ネットワークスライス再選択ポリシーは、ネットワークノードによって、端末デバイスのためにネットワークスライスを選択する方式を示すために使用される。
【００９９】
具体的には、端末デバイスによるアクセスを禁止された、または、アクセスを許可されたネットワークスライスに対応するネットワークスライス識別子。端末デバイスによるアクセスを禁止された、または、アクセスを許可された少なくとも１つのネットワークスライスを示すために使用される。端末デバイスによるアクセスを禁止された、または、アクセスを許可されたネットワークスライスに対応するセル識別子。端末デバイスによるアクセスを禁止された、または、アクセスを許可されたネットワークスライスに対応する少なくとも１つのセルを示すために使用される。端末デバイスによるアクセスを禁止された、または、アクセスを許可されたネットワークスライスに対応するトラッキングエリア識別子またはコードは、端末デバイスによるアクセスを禁止された、または、アクセスを許可された少なくとも１つのトラッキングエリアを示すために使用される。任意選択的に、端末デバイスによるアクセスを禁止された、または、アクセスを許可されたネットワークスライスに対応するトラッキングエリア識別子またはコードにおけるトラッキングエリア識別子またはコードは、ネットワークスライス優先度に基づいてソートされ得て、端末デバイスモビリティ管理のために使用され得る。端末デバイスによるアクセスを禁止された、または、アクセスを許可されたネットワークスライスに対応するページングエリア識別子。端末デバイスによるアクセスを禁止された、または、アクセスを許可されたネットワークスライスに対応するコアネットワークおよび／またはアクセスネットワークの少なくとも１つのページングエリアを示すために使用される。任意選択的に、端末デバイスによるアクセスを禁止された、または、アクセスを許可されたページングエリア識別子におけるページングエリア識別子は、ネットワークスライス優先度に基づいてソートされ得て、端末デバイスモビリティ管理のために使用され得る。端末デバイスによるアクセスを禁止された、または、アクセスを許可されたネットワークスライスに対応するＰＬＭＮ識別子。端末デバイスに現在サービスを提供するＰＬＭＮの識別子、および／または、端末デバイスによるアクセスを許可された同等のＰＬＭＮ識別子リストを示すために使用される。任意選択的に、端末デバイスによるアクセスを禁止された、または、アクセスを許可されたネットワークスライスに対応するＰＬＭＮ識別子は、ネットワークスライス優先度に基づいてソートされ得て、端末デバイスモビリティ管理に使用され得る。ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。第１ネットワークスライスセット（すなわち、ＮＳ  Ｓｅｔ１−ＲＡＮ１）における少なくとも１つのネットワークスライスに対応するセキュリティ情報は、例えば、暗号化位置インジケーション情報、または、暗号化鍵インジケーション情報を含み得て、暗号化位置インジケーション情報は、暗号化位置がＲＡＮノードに位置するか、または、ＣＮノードに位置するかを示し得て、暗号化鍵インジケーション情報は、第１ネットワークスライスセットにおける少なくとも１つのネットワークスライスによって使用される暗号化鍵をＲＡＮ２に通知するために使用される。
【０１００】
ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【０１０１】
第１ネットワークスライスセット（すなわち、ＮＳ  Ｓｅｔ１−ＲＡＮ１）における少なくとも１つのネットワークスライスに対応するサービス情報は、以下の少なくとも１つを含み得る。１．ＮＳ  Ｓｅｔ１−ＲＡＮ１における、確立または承認される必要があるネットワークスライスに対応するベアラ情報。例えば、ベアラ識別子、ベアラレベルサービス品質（Ｑｕａｌｉｔｙ−ｏｆ−Ｓｅｒｖｉｃｅ、ＱｏＳ）パラメータ、または、トンネル終端点。２．ＮＳ  Ｓｅｔ１−ＲＡＮ１における、確立または承認される必要があるネットワークスライスに対応するセッション情報。例えば、セッション識別子、セッションレベルＱｏＳパラメータ、または、トンネル終端点。３．ＮＳ  Ｓｅｔ１−ＲＡＮ１における、確立または承認される必要があるネットワークスライスに対応するストリーム情報。例えば、ストリーム識別子、ストリームレベルＱｏＳパラメータ、または、トンネル終端点。
【０１０２】
任意選択的に、第１メッセージは、第１ネットワークスライスセットにおける少なくとも１つのネットワークスライスに対応する周波数優先度、および、アクセス技術優先度を更に含み得て、周波数優先度およびアクセス技術優先度は、端末移動性管理に使用される。例えば、端末は、高い周波数優先度を有するターゲットセルを選択するべく、周波数優先度に基づいて、セル選択または再選択についての優先度を決定し得る。
【０１０３】
任意選択的に、第１メッセージは、第１ネットワークスライスセットにおける少なくとも１つのネットワークスライスに対応する優先度を更に含み得て、優先度は、端末デバイスのモビリティ管理、アドミッション制御および同様のものに使用される。端末デバイスは、端末デバイスがアイドル状態または非アクティブ状態にあるとき、セル選択またはセル再選択において高優先度セルをサポートすることを考慮し得る。ハンドオーバ準備段階において、ソース側ＲＡＮノードは、高優先度ネットワークスライスにおける隣接するＲＡＮノードを、ハンドオーバのターゲット側ＲＡＮノードとしてサポートすることを優先的に考慮し得て、ターゲット側ＲＡＮノードは更に、高優先度ネットワークスライスに対応するサービスベアラを優先的に承認し得る。
【０１０４】
任意選択的に、第１メッセージは、端末デバイスのコンテキスト情報、例えば、端末デバイスによってサブスクライブされる少なくとも１つのネットワークスライスに対応するネットワークスライス識別子を更に含み得る。
【０１０５】
任意選択的に、第１メッセージは、ハンドオーバの原因を更に含み得て、ハンドオーバの原因は、端末デバイスがＲＡＮ１ノードからＲＡＮ２ノードへハンドオーバされる原因を示すために使用される。例えば、ハンドオーバの原因は、無線ネットワーク層における原因であり得る（例えば、ハンドオーバは、信号品質またはリソースベースの最適化に起因してトリガされる）。
【０１０６】
任意選択的に、第１メッセージは、端末デバイスに対応する一時識別子を更に含み得て、一時識別子は、コアネットワークネットワーク要素によって、記憶された端末デバイスのコンテキスト情報を検索するために使用される。
【０１０７】
任意選択的に、第１メッセージは、端末デバイスに関連するコアネットワーク制御機能エンティティ識別子を更に含み得る。
【０１０８】
図２を参照して、以下では、異なる実施形態において、第２ネットワークスライスセットにおける少なくとも１つのネットワークスライスに対応するネットワークスライス識別子をどのように決定するかを詳細に説明する。
【０１０９】
実施形態１：第２ネットワークノードはＲＡＮ２ノードであり、第２ネットワークスライスセットは、ＲＡＮ２ノードによって決定され、ＮＳ  Ｓｅｔ２−ＲＡＮ２として表される。
【０１１０】
この場合、２０１において、ＲＡＮ１ノードは第１メッセージをＲＡＮ２ノードへ送信する。
【０１１１】
２０２において、ＲＡＮ１ノードは、ＲＡＮ２ノードによって送信された第１応答メッセージを受信する。
【０１１２】
第１メッセージは、第１ネットワークスライスセットにおける少なくとも１つのネットワークスライスに対応するネットワークスライス識別子を含み、第１応答メッセージは、第２ネットワークスライスセットにおける少なくとも１つのネットワークスライスに対応するネットワークスライス識別子を含む。
【０１１３】
具体的には、ＲＡＮ１ノードによって送信された第１メッセージを受信する第２ネットワークノードはＲＡＮ２ノードである。第１メッセージに含まれる第１ネットワークスライスセット（すなわち、ＮＳ  Ｓｅｔ１−ＲＡＮ１）における少なくとも１つのネットワークスライスに対応するネットワークスライス識別子に基づいて、ＲＡＮ２ノードは、ＲＡＮ２ノードによってサポートされるネットワークスライスの状態を参照して、第２ネットワークスライスセット、すなわち、ＮＳ  Ｓｅｔ２−ＲＡＮ２を直接決定し得る。
【０１１４】
任意選択的に、ＮＳ  Ｓｅｔ２−ＲＡＮ２は、ＮＳ  Ｓｅｔ１−ＲＡＮ１における一部または全部のネットワークスライスを含み得る。言い換えれば、ＮＳ  Ｓｅｔ２−ＲＡＮ２は、ＮＳ  Ｓｅｔ１−ＲＡＮ１のサブセットである。ＲＡＮ２ノードによって決定される、端末デバイスによるアクセスのために使用されるネットワークスライスは、端末デバイスがアクセスを希望する（または、アクセスを要求される、または、アクセスする必要がある）ネットワークスライスにおける一部または全部のネットワークスライスを含み得る。ＲＡＮ２ノードは、ＲＡＮ２ノードによってサポートされるネットワークスライスの状態に基づいて、一部のネットワークスライスを除外し得る。
【０１１５】
任意選択的に、ＲＡＮ２ノードは代替的に、端末デバイスのために、一部または全部のネットワークスライスを再選択し得る。言い換えれば、ＮＳ  Ｓｅｔ２−ＲＡＮ２は、ＮＳ  Ｓｅｔ１−ＲＡＮ１のサブセットでないことがあり得る。ＮＳ  Ｓｅｔ２−ＲＡＮ２は、ＮＳ  Ｓｅｔ１−ＲＡＮ１に含まれていないネットワークスライスも含み得る。ＮＳ  Ｓｅｔ２−ＲＡＮ２に含まれるが、ＮＳ  Ｓｅｔ１−ＲＡＮ１に含まれていないネットワークスライスは、ＲＡＮ２によって端末デバイスのために再選択されたネットワークスライスであり得る。代替的に、ＲＡＮ２は、ＮＳ  Ｓｅｔ１−ＲＡＮ１における一部または全部のネットワークスライスについての情報を更新し得る。
【０１１６】
任意選択的に、第１応答メッセージは、第２ネットワークスライスセットにおける少なくとも１つのネットワークスライスに対応するネットワークスライス識別子を含む。言い換えれば、第１応答メッセージは、ＮＳ  Ｓｅｔ２−ＲＡＮ２における一部または全部のネットワークスライスに対応するネットワークスライス識別子を含み得る。
【０１１７】
任意選択的に、第２ネットワークスライスセット（すなわち、ＮＳ  Ｓｅｔ２−ＲＡＮ２）における少なくとも１つのネットワークスライスに対応するネットワークスライス識別子に加えて、第１応答メッセージは、第２ネットワークスライスセットにおける少なくとも１つのネットワークスライスに対応する、確立が許可されたサービス情報、および、確立が許可されていないサービス情報の少なくとも１つを更に含み得る。
【０１１８】
具体的には、各ネットワークスライスは、ベアラ情報、セッション情報またはストリーム情報などの対応するサービス情報に対応する。ＲＡＮ２は、一部のネットワークスライスに対応するサービス情報を確立することだけを許可され得て、一部のネットワークノードに対応する一部のサービス情報を確立することだけを許可され得て、または、ネットワークスライスに対応するサービス情報が確立を許可されない可能性がある。この場合、第１応答メッセージは、ＮＳ  Ｓｅｔ２−ＲＡＮ２における、少なくとも１つのネットワークスライスに対応する、確立が許可されたサービス情報、および／または、確立が許可されていないサービス情報を含み得る。
【０１１９】
任意選択的に、実施形態１において、第１メッセージはハンドオーバ要求メッセージであり得る、または、ＲＡＮノードと別のＲＡＮノードとの間の通信に使用される別のメッセージであり得る。これに対応して、第１応答メッセージはハンドオーバ要求確認メッセージであり得る、または、ＲＡＮノードと別のＲＡＮノードとの間の通信に使用される別のメッセージであり得る。
【０１２０】
任意選択的に、ＲＡＮ１ノードおよびＲＡＮ２ノードは更に、互いがサポートするネットワークスライスについての情報を事前に取得し得る。図４は、本願の更に別の実施形態に係る通信方法４００の概略相互作用図である。図４に示される方式において、ＲＡＮ１ノードおよびＲＡＮ２ノードは更に、互いがサポートするネットワークスライスについての情報を事前に取得し得る。図４に示されるように、４０１において、ＲＡＮ１ノードは第１要求メッセージをＲＡＮ２ノードへ送信し得て、第１要求メッセージは、２つのＲＡＮノードの間でアプリケーション側設定情報を交換するために使用される。例えば、第１要求メッセージは以下に挙げる情報を含み得る。１．ＲＡＮ１ノード識別子：ＲＡＮ１ノード識別子は、全域的に一意にＲＡＮ１ノードを識別するために使用される。２．ＲＡＮ１ノードのサービングセル、および、各サービングセルに対応する隣接するセルについての情報：例えば、サービングセル、および、各サービングセルに対応する、隣接するセルに対応するセル識別子、物理セル識別子、周波数情報、トラッキングエリア識別子またはコード、および、ページングエリア識別子；サポートされるネットワークスライスに対応するネットワークスライス識別子、物理アクセスチャネル設定またはネットワークスライスモビリティパラメータ情報。例えば、ハンドオーバトリガ修正パラメータ。ハンドオーバトリガ修正パラメータは、１つのセルから別のセルにハンドオーバするための準備を開始するための閾値を示すために使用される。３．端末デバイスによるアクセスを禁止された、または、アクセスを許可されたネットワークスライスに対応するネットワークスライス識別子。端末デバイスによるアクセスを禁止された、または、アクセスを許可された少なくとも１つのネットワークスライスを示すために使用される。４．端末デバイスによるアクセスを禁止された、または、アクセスを許可されたネットワークスライスに対応するセル識別子。端末デバイスによるアクセスを禁止された、または、アクセスを許可されたネットワークスライスに対応する少なくとも１つのセルを示すために使用される。任意選択的に、端末デバイスによるアクセスを禁止された、または、アクセスを許可されたネットワークスライスに対応するセル識別子は、ネットワークスライス優先度に基づいてソートされ得て、端末デバイスモビリティ管理に使用され得る。例えば、端末デバイスは、端末デバイスがアイドル状態または非アクティブ状態にあるとき、高優先度セルを優先的に選択または再選択し得る。ハンドオーバ準備段階において、ソース側ＲＡＮネットワーク要素は、高優先度セルが位置する、隣接するＲＡＮネットワーク要素を、ターゲット側ＲＡＮネットワーク要素としてサポートすることを優先的に考慮し得る。５．端末デバイスによるアクセスを禁止された、または、アクセスを許可されたネットワークスライスに対応するトラッキングエリア識別子またはコードは、端末デバイスによるアクセスを禁止された、または、アクセスを許可された少なくとも１つのトラッキングエリアを示すために使用される。任意選択的に、端末デバイスによるアクセスを禁止された、または、アクセスを許可されたネットワークスライスに対応するトラッキングエリア識別子またはコードにおけるトラッキングエリア識別子またはコードは、ネットワークスライス優先度に基づいてソートされ得て、ＵＥモビリティ管理のために使用され得る。例えば、端末デバイスがアイドル状態または非アクティブ状態にあるとき、端末デバイスは、高優先度トラッキングエリアが位置するセルを優先的に選択または再選択し得る。ハンドオーバ準備段階において、ソース側ＲＡＮネットワーク要素は、高優先度トラッキングエリアが位置する、隣接するＲＡＮネットワーク要素を、ターゲット側ＲＡＮネットワーク要素としてサポートすることを優先的に考慮し得る。６．端末デバイスによるアクセスを禁止された、または、アクセスを許可されたネットワークスライスに対応するページングエリア識別子。端末デバイスによるアクセスを禁止された、または、アクセスを許可されたネットワークスライスに対応するコアネットワークおよび／またはアクセスネットワークの少なくとも１つのページングエリアを示すために使用される。任意選択的に、端末デバイスによるアクセスを禁止された、または、アクセスを許可されたネットワークスライスに対応するページングエリア識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ページングエリアが位置するセルを優先的に選択または再選択し得る。ハンドオーバ準備段階において、ソース側ＲＡＮネットワーク要素は、高優先度ページングエリアが位置する、隣接するＲＡＮネットワーク要素を、ターゲット側ＲＡＮネットワーク要素としてサポートすることを優先的に考慮し得る。７．端末デバイスによるアクセスを禁止された、または、アクセスを許可されたネットワークスライスに対応する公衆移動通信ネットワーク（Ｐｕｂｌｉｃ  Ｌａｎｄ  Ｍｏｂｉｌｅ  Ｎｅｔｗｏｒｋ、ＰＬＭＮ）識別子。端末デバイスに現在サービスを提供するＰＬＭＮの識別子、および／または、端末デバイスによるアクセスを許可された同等のＰＬＭＮ識別子リストを示すために使用される。任意選択的に、端末デバイスによるアクセスを禁止された、または、アクセスを許可されたネットワークスライスに対応するＰＬＭＮ識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ＰＬＭＮが位置するセルを優先的に選択または再選択し得る。ハンドオーバ準備段階において、ソース側ＲＡＮネットワーク要素は、高優先度ＰＬＭＮが位置する、隣接するＲＡＮネットワーク要素を、ターゲット側ＲＡＮネットワーク要素としてサポートすることを優先的に考慮し得る。８．ネットワークスライス再選択ポリシー。ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【０１２１】
４０２において、ＲＡＮ２ノードは、第１要求応答メッセージを用いてＲＡＮ１ノードに応答し、第１要求応答メッセージは以下に挙げる情報を含み得る。１．ＲＡＮ２ノード識別子：ＲＡＮ２ノード識別子は、全域的に一意にＲＡＮ２ノードを識別するために使用される。２．ＲＡＮ２ノードのサービングセル、および、各サービングセルに対応する隣接するセルについての情報：例えば、サービングセル、および、各サービングセルに対応する、隣接するセルに対応するセル識別子、物理セル識別子、周波数情報、トラッキングエリア識別子またはコード、および、ページングエリア識別子；サポートされるネットワークスライスに対応するネットワークスライス識別子、物理アクセスチャネル設定またはネットワークスライスモビリティパラメータ情報。例えば、ハンドオーバトリガ修正パラメータ。ハンドオーバトリガ修正パラメータは、１つのセルから別のセルにハンドオーバするための準備を開始するための閾値を示すために使用される。３．端末デバイスによるアクセスを禁止された、または、アクセスを許可されたネットワークスライスに対応するネットワークスライス識別子。端末デバイスによるアクセスを禁止された、または、アクセスを許可された少なくとも１つのネットワークスライスを示すために使用される。４．端末デバイスによるアクセスを禁止された、または、アクセスを許可されたネットワークスライスに対応するセル識別子。端末デバイスによるアクセスを禁止された、または、アクセスを許可されたネットワークスライスに対応する少なくとも１つのセルを示すために使用される。任意選択的に、端末デバイスによるアクセスを禁止された、または、アクセスを許可されたネットワークスライスに対応するセル識別子は、ネットワークスライス優先度に基づいてソートされ得て、端末デバイスモビリティ管理に使用され得る。例えば、端末デバイスは、端末デバイスがアイドル状態または非アクティブ状態にあるとき、高優先度セルを優先的に選択または再選択し得る。ハンドオーバ準備段階において、ソース側ＲＡＮネットワーク要素は、高優先度セルが位置する、隣接するＲＡＮネットワーク要素を、ターゲット側ＲＡＮネットワーク要素としてサポートすることを優先的に考慮し得る。５．端末デバイスによるアクセスを禁止された、または、アクセスを許可されたネットワークスライスに対応するトラッキングエリア識別子またはコードは、端末デバイスによるアクセスを禁止された、または、アクセスを許可された少なくとも１つのトラッキングエリアを示すために使用される。任意選択的に、端末デバイスによるアクセスを禁止された、または、アクセスを許可されたネットワークスライスに対応するトラッキングエリア識別子またはコードにおけるトラッキングエリア識別子またはコードは、ネットワークスライス優先度に基づいてソートされ得て、端末デバイスモビリティ管理のために使用され得る。例えば、端末デバイスがアイドル状態または非アクティブ状態にあるとき、端末デバイスは、高優先度トラッキングエリアが位置するセルを優先的に選択または再選択し得る。ハンドオーバ準備段階において、ソース側ＲＡＮネットワーク要素は、高優先度トラッキングエリアが位置する、隣接するＲＡＮネットワーク要素を、ターゲット側ＲＡＮネットワーク要素としてサポートすることを優先的に考慮し得る。６．端末デバイスによるアクセスを禁止された、または、アクセスを許可されたネットワークスライスに対応するページングエリア識別子。端末デバイスによるアクセスを禁止された、または、アクセスを許可されたネットワークスライスに対応するコアネットワークおよび／またはアクセスネットワークの少なくとも１つのページングエリアを示すために使用される。任意選択的に、端末デバイスによるアクセスを禁止された、または、アクセスを許可されたネットワークスライスに対応するページングエリア識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ページングエリアが位置するセルを優先的に選択または再選択し得る。ハンドオーバ準備段階において、ソース側ＲＡＮネットワーク要素は、高優先度ページングエリアが位置する、隣接するＲＡＮネットワーク要素を、ターゲット側ＲＡＮネットワーク要素としてサポートすることを優先的に考慮し得る。７．端末デバイスによるアクセスを禁止された、または、アクセスを許可されたネットワークスライスに対応する公衆移動通信ネットワーク（Ｐｕｂｌｉｃ  Ｌａｎｄ  Ｍｏｂｉｌｅ  Ｎｅｔｗｏｒｋ、ＰＬＭＮ）識別子。端末デバイスに現在サービスを提供するＰＬＭＮの識別子、および／または、端末デバイスによるアクセスを許可された同等のＰＬＭＮ識別子リストを示すために使用される。任意選択的に、端末デバイスによるアクセスを禁止された、または、アクセスを許可されたネットワークスライスに対応するＰＬＭＮ識別子は、ネットワークスライス優先度に基づいてソートされ得て、端末デバイスモビリティ管理に使用され得る。例えば、端末デバイスがアイドル状態または非アクティブ状態にあるとき、端末デバイスは、高優先度ＰＬＭＮが位置するセルを優先的に選択または再選択し得る。ハンドオーバ準備段階において、ソース側ＲＡＮネットワーク要素は、高優先度ＰＬＭＮが位置する、隣接するＲＡＮネットワーク要素を、ターゲット側ＲＡＮネットワーク要素としてサポートすることを優先的に考慮し得る。８．ネットワークスライス再選択ポリシー。ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【０１２２】
任意選択的に、ＲＡＮ１ノードによってサポートされるネットワークスライスの状態が変化するとき、図４に示されるように、４０３において、ＲＡＮ１は更に、第２更新要求メッセージをＲＡＮ２ノードへ送信し得る。第２更新要求メッセージは、記憶された、ＲＡＮ１によってサポートされるネットワークスライスについての情報を更新するようＲＡＮ２ノードに命令するために、変更されるネットワークスライスについての情報を含む。
【０１２３】
任意選択的に、４０４において、ＲＡＮ２ノードは更に、第２更新要求確認メッセージをＲＡＮ１ノードへ送信し得る。第２更新要求確認メッセージは、ＲＡＮ２が第２更新要求メッセージを受信したことを示すために使用される。任意選択的に、ＲＡＮ２ノードが、ＲＡＮ１ノードによって送信された更新要求メッセージの受信に失敗した場合、第２更新要求確認メッセージは、特定の失敗の原因を保持し得る。例えば、失敗の原因は、特定のネットワークスライス、または、複数もしくはすべてのネットワークスライスの対応する設定の設定失敗を含み得る。
【０１２４】
したがって、ＲＡＮ１ノードおよびＲＡＮ２ノードは、図４において説明される方式で、２つのＲＡＮノードによってサポートされるネットワークスライスの状態を交換し得る。同様に、通信システムにおける任意の２つのアクセスネットワークノードは、図４において説明される方式で、２つのＲＡＮノードによってサポートされるネットワークスライスの状態を交換できる。このようにして、端末デバイスによって現在アクセスされるＲＡＮノードは、図４において説明される方式で、端末デバイスによってアクセスされる予定のＲＡＮノードによってサポートされるネットワークスライスの状態を取得し得て、これにより、アクセスされる予定のＲＡＮノードによってサポートされるネットワークスライスの状態に基づいて、端末デバイスのために、適切なネットワークスライスを選択する。
【０１２５】
実施形態２：第２ネットワークノードは、ＲＡＮ２ノードであり、第２ネットワークスライスセットは、ＣＮ１ノードによって決定され、ＮＳ  Ｓｅｔ２−ＣＮ１として表され、ＣＮ１ノードおよびＣＮ２ノードは同一のコアネットワークノードである。
【０１２６】
この場合、２０１において、ＲＡＮ１ノードは、第１メッセージをＲＡＮ２ノードへ送信する。
【０１２７】
２０３において、ＲＡＮ２ノードは、第４メッセージをＣＮ１ノードへ送信する。
【０１２８】
２０４において、ＣＮ１ノードは第４応答メッセージをＲＡＮ２ノードへ送信する。
【０１２９】
２０２において、ＲＡＮ１ノードは、ＲＡＮ２ノードによって送信された第１応答メッセージを受信する。
【０１３０】
第１メッセージは、第１ネットワークスライスセット（すなわち、ＮＳ  Ｓｅｔ１−ＲＡＮ１）における少なくとも１つのネットワークスライスに対応するネットワークスライス識別子を含む。２０３において、ＲＡＮ２ノードは、第４メッセージをＣＮ１へ送信し、第４メッセージは、第１ネットワークスライスセットにおける少なくとも１つのネットワークスライス（区別および説明を容易にするべく、ＮＳ  Ｓｅｔ１−ＲＡＮ１−ＲＡＮ２として表される）に対応するネットワークスライス識別子を含む。第４メッセージにおけるＮＳ  Ｓｅｔ１−ＲＡＮ１−ＲＡＮ２は、ＮＳ  Ｓｅｔ１−ＲＡＮ１における一部または全部のネットワークスライスを含み得る。第４応答メッセージは、第２ネットワークスライスセット（すなわち、ＮＳ  Ｓｅｔ２−ＣＮ１）における少なくとも１つのネットワークスライスに対応するネットワークスライス識別子を含む。
【０１３１】
具体的には、ＲＡＮ２が、端末デバイスによってアクセスされる予定のネットワークスライスはどれかを決定できないとき、ＲＡＮ２は、ＲＡＮ２が属する通信システムにおいて、第４メッセージをコアネットワークノード、すなわち、ＣＮ１ノードへ送信し、第４メッセージを使用することによって、端末デバイスがアクセスを希望するネットワークスライスをＣＮ１ノードに通知し得る。このようにして、ＣＮ１ノードは、第１ネットワークスライスセットにおける少なくとも１つのネットワークスライスに対応するネットワークスライス識別子に基づいて、端末デバイスのために、アクセスされる予定のネットワークスライス、すなわち、第２ネットワークスライスセット（すなわち、ＮＳ  Ｓｅｔ１−ＲＡＮ１−ＲＡＮ２）を再決定し得る。第４メッセージに含まれる第１ネットワークスライスセット（すなわち、ＮＳ  Ｓｅｔ１−ＲＡＮ１−ＲＡＮ２）における少なくとも１つのネットワークスライスに対応するネットワークスライス識別子に基づいて、ＣＮ１は、ＲＡＮ２によってサポートされるネットワークスライスの状態および負荷状態などの要素を参照して、第２ネットワークスライスセットを決定し得る。例えば、ＣＮ１は、ＮＳ  Ｓｅｔ１−ＲＡＮ１−ＲＡＮ２におけるＲＡＮ２によってサポートされる全部のネットワークスライスが第２ネットワークスライスセットを形成すると決定し得る、または、ＮＳ  Ｓｅｔ１−ＲＡＮ１−ＲＡＮ２におけるＲＡＮ２によってサポートされる一部のネットワークスライスが第２ネットワークスライスセットを形成すると決定し得る。
【０１３２】
言い換えれば、ＮＳ  Ｓｅｔ２−ＣＮ１は、ＮＳ  Ｓｅｔ１−ＲＡＮ１−ＲＡＮ２における一部または全部のネットワークスライスを含み得る。言い換えれば、ＮＳ  Ｓｅｔ２−ＣＮ１は、ＮＳ  Ｓｅｔ１−ＲＡＮ１−ＲＡＮ２のサブセットであり得る。ＣＮ１ノードによって決定され、端末デバイスによるアクセスのために使用されるネットワークスライスは、端末デバイスのために選択された、端末デバイスによるアクセスのために使用される、ネットワークスライスにおける一部または全部のネットワークスライスを含み得る。ＣＮ１ノードは、ＲＡＮ２ノードによってサポートされるネットワークスライスの状態に基づいて、一部のネットワークスライスを除外し得る。
【０１３３】
任意選択的に、ＣＮ１ノードは代替的に、端末デバイスのために、一部または全部のネットワークスライスを再選択し得る。言い換えれば、ＮＳ  Ｓｅｔ２−ＣＮ１は、ＮＳ  Ｓｅｔ１−ＲＡＮ１−ＲＡＮ２のサブセットでないことがあり得る。ＮＳ  Ｓｅｔ２−ＣＮ１は、ＮＳ  Ｓｅｔ１−ＲＡＮ１−ＲＡＮ２に含まれていないネットワークスライスも含み得る。ＮＳ  Ｓｅｔ２−ＣＮ１に含まれるが、ＮＳ  Ｓｅｔ１−ＲＡＮ１−ＲＡＮ２に含まれていないネットワークスライスは、ＣＮ１によって端末デバイスのために再選択されたネットワークスライスであり得る。代替的に、ＣＮ１は、ＮＳ  Ｓｅｔ１−ＲＡＮ１−ＲＡＮ２における一部または全部のネットワークスライスについての情報を更新し得る。
【０１３４】
任意選択的に、第４メッセージは、端末デバイスに対応する一時識別子を更に含み得て、一時識別子は、ＣＮ１ノードによって、記憶された端末デバイスのコンテキスト情報を検索するために使用される。
【０１３５】
任意選択的に、第４メッセージは、ＮＳ  Ｓｅｔ１−ＲＡＮ１−ＲＡＮ２に対応するサービス情報を更に含み得る。ＮＳ  Ｓｅｔ１−ＲＡＮ１−ＲＡＮ２に対応するサービス情報に含まれる具体的な内容については、第１メッセージにおけるＮＳ  Ｓｅｔ１−ＲＡＮ１に対応するサービス情報を参照されたい。簡潔にするために、詳細はここで再度説明しない。
【０１３６】
任意選択的に、第４メッセージは、ＮＳ  Ｓｅｔ１−ＲＡＮ１−ＲＡＮ２に対応するセキュリティ情報を更に含み得る。ＮＳ  Ｓｅｔ１−ＲＡＮ１−ＲＡＮ２に対応するセキュリティ情報に含まれる具体的な内容については、第１メッセージにおけるＮＳ  Ｓｅｔ１−ＲＡＮ１に対応するセキュリティ情報を参照されたい。簡潔にするために、詳細はここで再度説明しない。
【０１３７】
任意選択的に、第２ネットワークスライスセット（すなわち、ＮＳ  Ｓｅｔ２−ＣＮ１）における少なくとも１つのネットワークスライスに対応する、ＣＮ１ノードによって端末デバイスのために再選択されるネットワークスライス識別子に加えて、第４応答メッセージは、第２ネットワークスライスセット（すなわち、ＮＳ  Ｓｅｔ２−ＣＮ１）における少なくとも１つのネットワークスライスに対応するサービス情報、例えば、ＣＮ１が端末デバイスのために修正するセッション情報、セッション識別子、ベアラ識別子、ＱｏＳパラメータ、トンネル識別子、トランスポート層インターネットプロトコル（Ｉｎｔｅｒｎｅｔ  Ｐｒｏｔｏｃｏｌ、ＩＰ）アドレス、および同様のものをＲＡＮ２ノードが記憶するために使用されるプロトコルデータユニット（Ｐｒｏｔｏｃｏｌ  Ｄａｔａ  Ｕｎｉｔ、ＰＤＵ）セッション情報を更に含み得る。
【０１３８】
任意選択的に、第４応答メッセージは、第１非アクセス層（Ｎｏｎ  Ａｃｃｅｓｓ  Ｓｔｒａｔｕｍ、ＮＡＳ）メッセージを更に含み得る。第１ＮＡＳメッセージは、第４応答メッセージにおけるカプセル化メッセージである。第１ＮＡＳメッセージは、ＣＮ１ノードによって発生し、第１ＮＡＳメッセージは、第２ネットワークスライスセット（すなわち、ＮＳ  Ｓｅｔ２−ＣＮ１）における少なくとも１つのネットワークスライスに対応するネットワークスライス識別子を含む。第１ＮＡＳメッセージは、ネットワークスライス再選択プロセスを開始するよう端末デバイスに命令するために使用される。ＲＡＮ２は、第１ＮＡＳメッセージを含む第４応答メッセージを受信した後に、第１ＮＡＳメッセージをＲＡＮ１へ送信し得て、その結果、ＲＡＮ１は、第１ＮＡＳメッセージを端末デバイスへ送信し得る。端末デバイスは、第１ＮＡＳメッセージを受信した後に、第１ＮＡＳメッセージに基づいて、代替的にネットワークスライス更新プロセスと称されるネットワークスライス再選択プロセスを開始し得る。任意選択的に、第１ＮＡＳメッセージは更に、端末デバイスによって開始されたＰＤＵセッション情報を修正または非アクティブ化するために使用され得る。
【０１３９】
２０２において、ＲＡＮ２ノードは、第１応答メッセージをＲＡＮ１ノードへ送信する。第１応答メッセージは、第２ネットワークスライスセット（区別および説明を容易にするべく、ＮＳ  Ｓｅｔ２−ＣＮ１−ＲＡＮ２として表される）における少なくとも１つのネットワークスライスに対応するネットワークスライス識別子を含む。ＮＳ  Ｓｅｔ２−ＣＮ１−ＲＡＮ２は、ＮＳ  Ｓｅｔ２−ＣＮ１における一部または全部のネットワークスライスを含み得る。言い換えれば、ＲＡＮ２ノードは、ＲＡＮ２ノードによってサポートされるネットワークスライスの状態、または、負荷状態などの要素に基づいて、第１応答メッセージに含まれる一部のネットワークスライスを更に除外できる。
【０１４０】
任意選択的に、ＮＳ  Ｓｅｔ２−ＣＮ１−ＲＡＮ２におけるネットワークスライスに対応するネットワークスライス識別子に加えて、第１応答メッセージは、第２ネットワークスライスセットにおける少なくとも１つのネットワークスライスに対応する、確立が許可されたサービス情報、および、確立が許可されていないサービス情報の少なくとも１つを更に含み得る。
【０１４１】
具体的には、各ネットワークスライスは、ベアラ情報、セッション情報またはストリーム情報などの対応するサービス情報に対応する。ＲＡＮ２は、ＮＳ  Ｓｅｔ２−ＣＮ１−ＲＡＮ２における一部のネットワークスライスに対応するサービス情報を確立することだけを許可され得て、ＮＳ  Ｓｅｔ２−ＣＮ１−ＲＡＮ２における一部のネットワークノードに対応する一部のサービス情報を確立することだけを許可され得て、または、ＮＳ  Ｓｅｔ２−ＣＮ１−ＲＡＮ２におけるネットワークスライスに対応するサービス情報が確立を許可されない可能性がある。この場合、第１応答メッセージは、ＮＳ  Ｓｅｔ２−ＣＮ１−ＲＡＮ２における、少なくとも１つのネットワークスライスに対応する、確立が許可されたサービス情報、および／または、確立が許可されていないサービス情報を含み得る。
【０１４２】
任意選択的に、実施形態２において、第１メッセージはハンドオーバ要求メッセージであり得る、または、ＲＡＮノードと別のＲＡＮノードとの間の通信に使用される別のメッセージであり得る。これに対応して、第１応答メッセージはハンドオーバ要求確認メッセージであり得る、または、ＲＡＮノードと別のＲＡＮノードとの間の通信に使用される別のメッセージであり得る。
【０１４３】
任意選択的に、実施形態２において、第４メッセージは、ハンドオーバ要求メッセージ、経路切替要求メッセージであり得る、または、ＲＡＮノードとＣＮノードとの間の通信に使用される別のメッセージであり得る。これに対応して、第４応答メッセージは、ハンドオーバ要求確認メッセージ、経路切替要求確認メッセージであり得る、または、ＲＡＮノードとＣＮノードとの間の通信に使用される別のメッセージであり得る。
【０１４４】
実施形態３：第２ネットワークノードは、ＣＮ１ノードであり、第２ネットワークスライスセットは、ＣＮ１ノードによって決定され、第２ネットワークスライスセットは、ＮＳ  Ｓｅｔ２−ＣＮ１として表され、ＣＮ１およびＣＮ２は同一のコアネットワークノードである。
【０１４５】
この場合、２０１において、ＲＡＮ１ノードは、第１メッセージをＣＮ１ノードへ送信する。
【０１４６】
２０２において、ＣＮ１ノードは、第１応答メッセージを用いて、ＲＡＮ１ノードへ応答する。
【０１４７】
具体的には、２０１において、ＣＮ１ノードは、ＲＡＮ１ノードによって送信された第１メッセージを受信し得て、第１メッセージは、第１ネットワークスライスセットにおける少なくとも１つのネットワークスライスに対応するネットワークスライス識別子を含む（すなわち、ＮＳ  Ｓｅｔ１−ＲＡＮ１）。ＮＳ  Ｓｅｔ１−ＲＡＮ１に基づいて、ＣＮ１ノードは、ＲＡＮ２によってサポートされるネットワークスライスの状態を参照して、第２ネットワークスライスセットを決定し得る。例えば、ＲＡＮ２によってサポートされるネットワークスライスの状態を参照して、ＣＮ１ノードは、ＮＳ  Ｓｅｔ１−ＲＡＮ１におけるＲＡＮ２によってサポートされる全部のネットワークスライスが第２ネットワークスライスセットを形成すると決定し得る、または、ＮＳ  Ｓｅｔ１−ＲＡＮ１におけるＲＡＮ２によってサポートされる一部のネットワークスライスが第２ネットワークスライスセットを形成すると決定し得る。任意選択的に、ＣＮ１ノードは、図３における３０３において説明される方法を使用して、ＲＡＮ２ノードによってサポートされるネットワークスライスの状態を事前に取得し得る。詳細はここで再度説明しない。
【０１４８】
言い換えれば、ＲＡＮ１ノードによって送信された第１メッセージを受信した第２ネットワークノードがＣＮ１ノードである場合、ＣＮ１ノードは、第１メッセージに含まれる第１ネットワークスライスセット（すなわち、ＮＳ  Ｓｅｔ１−ＲＡＮ１）における少なくとも１つのネットワークスライスに対応するネットワークスライス識別子に基づいて、ＲＡＮ２ノードによってサポートされるネットワークスライスの状態を参照して、第２ネットワークスライスセット（すなわち、ＮＳ  Ｓｅｔ２−ＣＮ１）における少なくとも１つのネットワークスライスに対応するネットワークスライス識別子を直接決定し得る。
【０１４９】
任意選択的に、ＮＳ  Ｓｅｔ２−ＣＮ１は、ＮＳ  Ｓｅｔ１−ＲＡＮ１における一部または全部のネットワークスライスを含み得る。言い換えれば、ＮＳ  Ｓｅｔ２−ＣＮ１は、ＮＳ  Ｓｅｔ１−ＲＡＮ１のサブセットである。ＣＮ１ノードによって決定され、端末デバイスによるアクセスのために使用されるネットワークスライスは、端末デバイスのために選択された、端末デバイスによるアクセスのために使用される、ネットワークスライスにおける一部または全部のネットワークスライスを含み得る。ＣＮ１ノードは、ＲＡＮ２ノードによってサポートされるネットワークスライスの状態に基づいて、一部のネットワークスライスを除外し得る。
【０１５０】
任意選択的に、ＣＮ１ノードは代替的に、端末デバイスのために一部または全部のネットワークスライスを再選択し得る。言い換えれば、ＮＳ  Ｓｅｔ２−ＣＮ１は、ＮＳ  Ｓｅｔ１−ＲＡＮ１のサブセットでないことがあり得る。ＮＳ  Ｓｅｔ２−ＣＮ１は、ＮＳ  Ｓｅｔ１−ＲＡＮ１に含まれていないネットワークスライスも含み得る。ＮＳ  Ｓｅｔ２−ＣＮ１に含まれるが、ＮＳ  Ｓｅｔ１−ＲＡＮ１に含まれていないネットワークスライスは、ＣＮ１によって端末デバイスのために再選択されたネットワークスライスであり得る。代替的に、ＣＮ１は、ＮＳ  Ｓｅｔ１−ＲＡＮ１における一部または全部のネットワークスライスについての情報を更新し得る。
【０１５１】
任意選択的に、ＮＳ  Ｓｅｔ２−ＣＮ１における各ネットワークスライスに対応するネットワークスライス識別子に加えて、第１応答メッセージは、第２ネットワークスライスセットにおける少なくとも１つのネットワークスライスに対応する、確立が許可されたサービス情報、および、確立が許可されていないサービス情報の少なくとも１つを更に含み得る。
【０１５２】
具体的には、各ネットワークスライスは、ベアラ情報、セッション情報またはストリーム情報などの対応するサービス情報に対応する。第１応答メッセージは、ＮＳ  Ｓｅｔ２−ＣＮ１における、少なくとも１つのネットワークスライスに対応する、確立が許可されたサービス情報、および／または、確立が許可されていないサービス情報を含み得る。
【０１５３】
任意選択的に、第１応答メッセージは、第１ＮＡＳメッセージを更に含み得る。第１ＮＡＳメッセージは、第１応答メッセージにおけるカプセル化メッセージである。第１ＮＡＳメッセージは、ＣＮ１によって発生し、第１ＮＡＳメッセージは、第２ネットワークスライスセット（すなわち、ＮＳ  Ｓｅｔ２−ＣＮ１）における少なくとも１つのネットワークスライスに対応するネットワークスライス識別子を含む。第１ＮＡＳメッセージは、ネットワークスライス再選択プロセスを開始するよう端末デバイスに命令するために使用される。ＲＡＮ１ノードは、第１ＮＡＳメッセージを含む第１応答メッセージを受信した後に、第１ＮＡＳメッセージを端末デバイスへ送信し得る。端末デバイスは、第１ＮＡＳメッセージを受信した後に、第１ＮＡＳメッセージに基づいて、代替的にネットワークスライス更新プロセスと称されるネットワークスライス再選択プロセスを開始し得る。任意選択的に、第１ＮＡＳメッセージは更に、端末デバイスによって開始されたＰＤＵセッション情報を修正または非アクティブ化するために使用され得る。
【０１５４】
任意選択的に、実施形態３において、第１メッセージはハンドオーバ要求メッセージであり得る、または、ＲＡＮノードとＣＮノードとの間の通信に使用される別のメッセージであり得る。これに対応して、第１応答メッセージはハンドオーバ要求確認メッセージであり得る、または、ＲＡＮノードとＣＮノードとの間の通信に使用される別のメッセージであり得る。
【０１５５】
任意選択的に、実施形態３において、方法２００は、以下に挙げる段階を更に備え得る。
【０１５６】
２１１において、ＣＮ１ノードは、第１通知メッセージをＲＡＮ２ノードへ送信する。
【０１５７】
２１２において、ＲＡＮ２ノードは、第１通知確認メッセージをＣＮ１ノードへ送信する。
【０１５８】
第１通知メッセージは、第２ネットワークスライスセット（すなわち、ＮＳ  Ｓｅｔ２−ＣＮ１）における少なくとも１つのネットワークスライスに対応するネットワークスライス識別子を含み、第１通知確認メッセージは、ＣＮ１ノードによって送信された第１通知メッセージをＲＡＮ２ノードが受信したことをＣＮ１ノードに通知するために使用される。
【０１５９】
任意選択的に、第１通知メッセージは、ハンドオーバ要求メッセージであり得る、または、ＲＡＮノードとＣＮノードとの間の通信に使用される別のメッセージであり得る。これに対応して、第１通知確認メッセージはハンドオーバ要求確認メッセージであり得る、または、ＲＡＮノードとＣＮノードとの間の通信に使用される別のメッセージであり得る。
【０１６０】
実施形態４：第２ネットワークノードはＣＮ１ノードであり、第２ネットワークスライスセットは、ＣＮ２ノードによって決定され、ＮＳ  Ｓｅｔ２−ＣＮ２として表され、ＣＮ１およびＣＮ２は異なるコアネットワークノードである。
【０１６１】
この場合、２０１において、ＲＡＮ１ノードは、第１メッセージをＣＮ１ノードへ送信する。
【０１６２】
２０８において、ＣＮ１ノードは第７メッセージをＣＮ２ノードへ送信する。
【０１６３】
２０９において、ＣＮ２ノードは第７応答メッセージをＣＮ１ノードへ送信する。
【０１６４】
２０２において、ＲＡＮ１ノードは、ＣＮ１ノードによって送信された第１応答メッセージを受信する。
【０１６５】
具体的には、ＲＡＮ１ノードおよびＲＡＮ２ノードが同一の通信システムに属していない場合、例えば、ＲＡＮ１ノードが４Ｇ通信システムに属し、かつ、ＲＡＮ２ノードが５Ｇ通信システムに属する場合、または、ＲＡＮ１ノードが５Ｇ通信システムに属し、かつ、ＲＡＮ２ノードが４Ｇ通信システムに属する場合、ＣＮ１ノードおよびＣＮ２ノードは同一のコアネットワークノードではない。ＣＮ１ノードは、ＲＡＮ１ノードによって送信された第１メッセージを受信した後に、端末デバイスによってアクセスされる予定のネットワークスライスを決定するようＣＮ２ノードに要求し得る。ＣＮ２ノードが、端末デバイスによってアクセスされる予定のネットワークスライスを決定する方式については、実施形態３または実施形態２において、ＣＮ１ノードが、端末デバイスによってアクセスされる予定のネットワークスライスを決定する方式を参照されたい。詳細はここでは再度説明しない。
【０１６６】
具体的には、ＤＣＮ識別子は、ＬＴＥシステムまたはｅＬＴＥシステムを識別するために使用される識別子なので、ＣＮ１ノードおよびＣＮ２ノードが属する通信システムがＬＴＥシステムまたはｅＬＴＥシステムを含む場合、ＣＮ１ノードまたはＣＮ２ノードにおいてネットワークスライス識別子をＤＣＮ識別子にマッピングする機能を実装する必要がある。ＣＮ２ノードが属する通信システムがＬＴＥシステムまたはｅＬＴＥシステムであり、かつ、ＣＮ１ノードが属する通信システムが５Ｇシステムである場合、および、第１メッセージが、ＮＳ  Ｓｅｔ１−ＲＡＮ１における少なくとも１つのネットワークスライスに対応するネットワークスライス識別子を含む場合、ＣＮ１ノードは、ネットワークスライス識別子をＤＣＮ識別子にマッピングする必要がある。具体的には、ＣＮ１ノードは、ＮＳ  Ｓｅｔ１−ＲＡＮ１における少なくとも１つのネットワークスライスに対応するネットワークスライス識別子を、ＮＳ  Ｓｅｔ１−ＲＡＮ１における少なくとも１つのネットワークスライスに対応するＤＣＮ識別子にマッピングし、ＲＡＮ２に対応するＣＮ２ノードを選択し、２０８において、第７メッセージをＣＮ２ノードへ送信する。第７メッセージは、ＮＳ  Ｓｅｔ１−ＲＡＮ１における少なくとも１つのネットワークスライスに対応するＤＣＮ識別子を含む。その後、ＣＮ２ノードは、第２ネットワークスライスセット、すなわち、ＮＳ  Ｓｅｔ２−ＣＮ２を決定する。この場合、ＣＮ２は、ＤＣＮ識別子をネットワークスライス識別子にマッピングする必要がある。具体的には、ＣＮ２は、第２ネットワークスライスセットにおける少なくとも１つのネットワークスライスに対応するＤＣＮ識別子を、第２ネットワークスライスセットにおける少なくとも１つのネットワークスライスに対応するネットワークスライス識別子にマッピングする。次に、２０９において、ＣＮ２ノードは、第７応答メッセージをＣＮ１ノードへ送信する。第７応答メッセージは、第２ネットワークスライスセットにおける少なくとも１つのネットワークスライスに対応するネットワークスライス識別子を含む。
【０１６７】
任意選択的に、ＣＮ２ノードが属する通信システムが５Ｇシステムであり、かつ、ＣＮ１ノードが属する通信システムがＬＴＥシステムまたはｅＬＴＥシステムである場合、および、第１メッセージがＮＳ  Ｓｅｔ１−ＲＡＮ１における少なくとも１つのネットワークスライスに対応するＤＣＮ識別子を含む場合、ＣＮ１ノードは、ＤＣＮ識別子をネットワークスライス識別子にマッピングする必要がある。具体的には、ＣＮ１ノードは、ＮＳ  Ｓｅｔ１−ＲＡＮ１における少なくとも１つのネットワークスライスに対応するＤＣＮ識別子を、ＮＳ  Ｓｅｔ１−ＲＡＮ１における少なくとも１つのネットワークスライスに対応するネットワークスライス識別子にマッピングし、ＲＡＮ２に対応するＣＮ２ノードを選択し、２０８において、第７メッセージをＣＮ２へ送信する。第７メッセージは、ＮＳ  Ｓｅｔ１−ＲＡＮ１における少なくとも１つのＤＣＮ識別子に対応するネットワークスライス識別子を含む。その後、ＣＮ２ノードは、第２ネットワークスライスセット、すなわち、ＮＳ  Ｓｅｔ２−ＣＮ２を決定する。この場合、ＣＮ２は、ネットワークスライス識別子をＤＣＮ識別子にマッピングする必要がある。具体的には、ＣＮ２は、第２ネットワークスライスセットにおける少なくとも１つのネットワークスライスに対応するネットワークスライス識別子を、第２ネットワークスライスセットにおける少なくとも１つのネットワークスライスに対応するＤＣＮ識別子にマッピングする。次に、２０９において、ＣＮ２ノードは、第７応答メッセージをＣＮ１ノードへ送信する。第７応答メッセージは、第２ネットワークスライスセットにおける少なくとも１つのネットワークスライスに対応するＤＣＮ識別子を含む。
【０１６８】
次に、２０２において、ＣＮ１ノードは、第１応答メッセージをＲＡＮ１ノードへ送信する。第１応答メッセージに含まれる具体的な内容については、実施形態１から実施形態３を参照されたい。簡潔にするために、詳細はここで再度説明しない。
【０１６９】
任意選択的に、実施形態４における方法は、以下に挙げる段階を更に含み得る。
【０１７０】
２１３：ＣＮ２は第２通知メッセージをＲＡＮ２ノードへ送信する。
【０１７１】
２１４：ＲＡＮ２は第２通知確認メッセージをＣＮ２へ送信する。
【０１７２】
第２通知メッセージは、ＣＮ２ノードが、端末デバイスのために、アクセスされる予定のネットワークスライスを再選択したことをＲＡＮ２ノードに通知するために使用され、第２通知確認メッセージは、ＲＡＮ２ノードが第２通知メッセージを受信したことを示すために使用される。
【０１７３】
任意選択的に、実施形態４において、第１メッセージはハンドオーバ要求メッセージであり得る、または、ＲＡＮノードとＣＮノードとの間の通信に使用される別のメッセージであり得る。これに対応して、第１応答メッセージはハンドオーバ要求確認メッセージであり得る、または、ＲＡＮノードとＣＮノードとの間の通信に使用される別のメッセージであり得る。
【０１７４】
任意選択的に、実施形態４において、第７メッセージはハンドオーバ要求メッセージであり得る、または、ＣＮノードとＣＮノードとの間の通信に使用される別のメッセージであり得る。これに対応して、第７応答メッセージはハンドオーバ要求確認メッセージであり得る、または、ＣＮノードとＣＮノードとの間の通信に使用される別のメッセージであり得る。
【０１７５】
結論として、上述の４つの実施形態に関連して、第１メッセージを受信した第２ネットワークノードがＲＡＮ２ノードである場合、ＲＡＮ２ノードは、ＲＡＮ１ノードによって送信された第１メッセージを受信した後に、第１メッセージに含まれる第１ネットワークスライスセット（すなわち、ＮＳ  Ｓｅｔ１−ＲＡＮ１）における少なくとも１つのネットワークスライスに対応するネットワークスライス識別子に基づいて、第２ネットワークスライスセット（すなわち、ＮＳ  Ｓｅｔ２−ＲＡＮ２）（実施形態１）における少なくとも１つのネットワークスライスに対応するネットワークスライス識別子を直接決定し得る。代替的に、ＲＡＮ２は、第２ネットワークスライスセット（すなわち、ＮＳ  Ｓｅｔ２−ＣＮ１）（実施形態２）における少なくとも１つのネットワークスライスに対応するネットワークスライス識別子を決定するように、ＲＡＮ２が属する通信システムにおけるコアネットワークノードＣＮ１（この場合、ＲＡＮ１およびＲＡＮ２は同一の通信システムに属し、ＣＮ１はＣＮ２である）に要求できる。
【０１７６】
代替的に、ＲＡＮ１ノードによって送信された第１メッセージを受信する第２ネットワークノードがＣＮ１ノードである場合、ＣＮ１は、第１メッセージに含まれる第１ネットワークスライスセット（すなわち、ＮＳ  Ｓｅｔ１−ＲＡＮ１）における少なくとも１つのネットワークスライスに対応するネットワークスライス識別子に基づいて、第２ネットワークスライスセット（すなわち、ＮＳ  Ｓｅｔ２−ＣＮ１）（実施形態３）における少なくとも１つのネットワークスライスに対応するネットワークスライス識別子を直接決定し得る。代替的に、ＣＮ１ノードは、第２ネットワークスライスセット（すなわち、ＮＳ  Ｓｅｔ２−ＣＮ２）（実施形態４）における少なくとも１つのネットワークスライスに対応するネットワークスライス識別子を決定するように、ＲＡＮ２が属する通信システムにおけるコアネットワークノードＣＮ２（この場合、ＲＡＮ１およびＲＡＮ２は、同一通信システムに属さず、ＣＮ１およびＣＮ２は異なるコアネットワークノードである）に要求し得る。
【０１７７】
実施形態１から実施形態４において説明されるプロセスは、セルのハンドオーバのプロセスの間に実行され得ることを理解されたい。例えば、第１メッセージはハンドオーバ要求メッセージであり得て、第１応答メッセージはハンドオーバ要求確認メッセージであり、第４メッセージはハンドオーバ要求メッセージまたは経路切替要求メッセージであり、第４応答メッセージはハンドオーバ要求確認メッセージまたは経路切替要求確認メッセージである。プロセスは代替的に、セルのハンドオーバの前に実行され得る。このことは、本願の実施形態において限定されない。
【０１７８】
任意選択的に、２０２の後に、図２に示されるように、方法２００は、以下に挙げる段階を更に備え得る。
【０１７９】
２０５において、ＲＡＮ１ノードは、第２メッセージを端末デバイスへ送信する。
【０１８０】
実施形態１については、第２メッセージは、以下の少なくとも１つを含み得る。１．ターゲットセル識別子：ターゲットセルを識別するために使用される。２．端末デバイスの新しい一時識別子。ターゲットセルにおける端末デバイスを識別するために使用される。３．ベアラ設定メッセージ：例えば、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）、無線リンク制御（Ｒａｄｉｏ  Ｌｉｎｋ  Ｃｏｎｔｒｏｌ、ＲＬＣ）、媒体アクセス制御（Ｍｅｄｉｕｍ  Ａｃｃｅｓｓ  Ｃｏｎｔｒｏｌ、ＭＡＣ）、または、物理層設定情報。
【０１８１】
任意選択的に、実施形態２、実施形態３および実施形態４については、実施形態１に含まれる情報の少なくとも１つに加えて、第２メッセージは、第１ＮＡＳメッセージを更に含み得る。第１ＮＡＳメッセージは、コアネットワークノードによって決定された、端末デバイスによるアクセスのために使用されるネットワークノードを含む。例えば、実施形態２および実施形態３については、第１ＮＡＳメッセージは、ＮＳ  Ｓｅｔ２−ＣＮ１における少なくとも１つのネットワークスライスに対応するネットワークスライス識別子を含む。実施形態４については、第１ＮＡＳメッセージは、ＮＳ  Ｓｅｔ２−ＣＮ２における少なくとも１つのネットワークスライスに対応するネットワークスライス識別子を含む、第１ＮＡＳメッセージは、ネットワークスライス再選択プロセスを開始するよう端末デバイスに命令するために使用される。端末デバイスは、第１ＮＡＳメッセージを受信した後に、第１ＮＡＳメッセージに基づいて、代替的にネットワークスライス更新プロセスと称されるネットワークスライス再選択プロセスを開始し得る。任意選択的に、第１ＮＡＳメッセージは更に、端末デバイスによって開始されたＰＤＵセッション情報を修正または非アクティブ化するために使用され得る。
【０１８２】
任意選択的に、第２メッセージは、ハンドオーバ命令または別のＲＲＣメッセージであり得る。
【０１８３】
任意選択的に、第２メッセージが第１ＮＡＳメッセージを含む場合、方法２００は、以下に挙げる段階を更に備え得る。
【０１８４】
２０６において、端末デバイスは第５メッセージをＲＡＮ２ノードへ送信する。
【０１８５】
第５メッセージは第２ＮＡＳメッセージを含む。第２ＮＡＳメッセージは、第１ＮＡＳメッセージに基づいて端末デバイスで発生し、第２ＮＡＳメッセージは、第２ネットワークスライスセットにおける少なくとも１つのネットワークスライスに対応するネットワークスライス識別子を含む。例えば、実施形態２および実施形態３については、第２ＮＡＳメッセージは、ＮＳ  Ｓｅｔ２−ＣＮ１における少なくとも１つのネットワークスライスに対応するネットワークスライス識別子を含み、実施形態４については、第２ＮＡＳメッセージは、ＮＳ  Ｓｅｔ２−ＣＮ２における少なくとも１つのネットワークスライスに対応するネットワークスライス識別子を含む。
【０１８６】
ＲＡＮ２ノードが第２ＮＡＳメッセージを受信した後に、２０７において、ＲＡＮ２ノードは、第６メッセージを対応するコアネットワークノードへ送信する。第６メッセージは、第２ＮＡＳメッセージを含む。言い換えれば、第２ＮＡＳメッセージは、第６メッセージを使用することによって、対応するコアネットワークノードへ送信され得る。例えば、実施形態２および実施形態３について、ＲＡＮ２ノードは、２０７において、第２ＮＡＳメッセージをＣＮ１ノードへ送信し得る。実施形態４については、ＲＡＮ２ノードは、２０７において、第２ＮＡＳメッセージをＣＮ２ノードへ送信し得る。
【０１８７】
図５は、本願の更に別の実施形態に係る通信方法５００の概略相互作用図である。図５に示されるように、方法５００は、以下に挙げる段階を備える。
【０１８８】
５０１において、端末デバイスは、第１ＲＲＣメッセージをＲＡＮノードへ送信する。
【０１８９】
５０２において、ＲＡＮノードは、第２ＲＲＣメッセージを端末デバイスへ送信する。
【０１９０】
５０３において、端末デバイスは、設定情報を保存する。
【０１９１】
第１ＲＲＣメッセージは、ＲＲＣ接続要求、ＲＲＣ接続再確立要求、ＲＲＣ接続セットアップ完了メッセージ、または、端末デバイスとＲＡＮノードとの間の通信に使用される別のメッセージであり得る。これに対応して、第２ＲＲＣメッセージは、ＲＲＣ接続拒否（ＲＲＣ  Ｃｏｎｎｅｃｔｉｏｎ  Ｒｅｊｅｃｔ）メッセージ、ＲＲＣ接続解放（ＲＲＣ  Ｃｏｎｎｅｃｔｉｏｎ  Ｒｅｌｅａｓｅ）メッセージ、ＭＡＣ制御要素（Ｃｏｎｔｒｏｌ  Ｅｌｅｍｅｎｔ、ＣＥ）、または、端末デバイスとＲＡＮノードとの間の通信に使用される別のメッセージであり得る。
【０１９２】
具体的には、第１ＲＲＣメッセージは、第１ネットワークスライスセットにおける少なくとも１つのネットワークスライスに対応するネットワークスライス識別子を含み得て、端末デバイスによってアクセスされる必要があるネットワークスライスを示すために使用される。
【０１９３】
任意選択的に、第１ＲＲＣメッセージは更に、ネットワークスライス選択またはＰＤＵセッション確立プロセスを開始するために使用されるＮＡＳメッセージを保持し得る。
【０１９４】
任意選択的に、第１ＲＲＣメッセージが複数のネットワークスライスに対応するネットワークスライス識別子を含む場合、端末デバイスは更に、複数のネットワークスライスにおける１または複数のネットワークスライスの優先度を示し得る。
【０１９５】
任意選択的に、第１ＲＲＣメッセージは、ネットワークスライス再選択ポリシーを更に含み得る。例えば、ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【０１９６】
任意選択的に、第２ＲＲＣメッセージは、接続確立が拒否された、第１ネットワークスライスセットにおけるネットワークスライスに対応するネットワークスライス識別子を更に含み得る、または、接続確立が拒否されたネットワークスライスに対応する拒否原因を含み得る。例えば、拒否原因は、端末デバイスが接続を確立することを希望するネットワークスライスが利用できないこと、または、ＲＡＮまたはＣＮに存在しないことであり得る。
【０１９７】
任意選択的に、第２ＲＲＣメッセージはリダイレクトセル情報を更に含み得る。リダイレクトセル情報は、端末デバイスのためにＲＡＮノードによって選択された、端末デバイスによって再アクセスされる予定のセルについての情報、例えば、セル識別子、物理層セル識別子、または、キャリア周波数を示すために使用される。端末デバイスがＲＲＣ接続状態から脱出し、セル選択を再開したとき、端末デバイスは、リダイレクトセル情報によって示されるセルにリダイレクトされ得る。
【０１９８】
任意選択的に、第２ＲＲＣメッセージは、第１ネットワークスライスセットにおける少なくとも１つのネットワークスライスの、アクセス許可またはアクセス禁止セル識別子、トラッキングエリア識別子またはコード、ページングエリア識別子、または、ＰＬＭＮ識別子などの情報を更に含み得る。
【０１９９】
任意選択的に、第２ＲＲＣメッセージは、第１ネットワークスライスセットにおける少なくとも１つのネットワークスライスに対応するリッスンビフォアトーク（Ｌｉｓｔｅｎ  Ｂｅｆｏｒｅ  Ｔａｌｋ、ＬＢＴ）パラメータを更に含み得る。端末デバイスが非ライセンススペクトルのセルへリダイレクトされる場合、第２ＲＲＣメッセージは、サービスとＬＢＴパラメータとの間のマッピング関係、プリエンプトされたチャネルの優先度インジケーション情報、遅延アクセス時間、および、競合ウィンドウサイズなどの情報の少なくとも１つを更に含み得る。
【０２００】
任意選択的に、第２ＲＲＣメッセージは、第１ネットワークスライスセットにおける少なくとも１つのネットワークスライスに対応するランダムアクセス設定パラメータ、例えば、利用可能なランダムアクセスプリアンブル情報、および、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースの時間周波数リソース位置情報を更に含み得る。
【０２０１】
任意選択的に、第２ＲＲＣメッセージは、リダイレクトキャリア情報を更に含み得る。リダイレクトキャリア情報は、端末デバイスがＲＲＣ接続状態から脱出して、セル選択を再開したとき、端末デバイスがリダイレクトされる必要があるキャリア周波数、例えば、５Ｇ、ｅＬＴＥ、ＬＴＥまたは同様の通信システムに適用可能なキャリア周波数などを示すために使用される。
【０２０２】
任意選択的に、第２ＲＲＣメッセージは、周波数優先度リストを更に含み得て、周波数優先度リストは、各アクセス技術の周波数に対応するセル再選択に適用可能な優先度を含む。
【０２０３】
５０３において、端末デバイスは、第２ＲＲＣメッセージに含まれる少なくとも１つの上述の情報を保存し得て、当該少なくとも１つの上述の情報は、例えば、セル選択またはセル再選択など、ＲＲＣアイドル状態における端末デバイスのモビリティ管理のために使用される。
【０２０４】
図６は、本願の更に別の実施形態に係る通信方法６００の概略相互作用図である。図６に示されるように、方法６００は、以下に挙げる段階を備える。
【０２０５】
６０１において、端末デバイスは、第３ＲＲＣメッセージをＲＡＮノードへ送信し、第３ＲＲＣメッセージは、第１ネットワークスライスセットにおける少なくとも１つのネットワークスライスに対応するネットワークスライス識別子を含む。
【０２０６】
任意選択的に、第３ＲＲＣメッセージは、ネットワークスライス選択またはＰＤＵセッション確立プロセスを開始するために使用されるＮＡＳメッセージを更に保持し得る。
【０２０７】
任意選択的に、第３ＲＲＣメッセージが複数のネットワークスライスに対応するネットワークスライス識別子を含む場合、端末デバイスは更に、１または複数のネットワークスライスの優先度を示し得る。
【０２０８】
任意選択的に、第３ＲＲＣメッセージは、ネットワークスライス再選択ポリシーを更に含み得る。ネットワークスライス再選択ポリシーは、ネットワークデバイスが、端末デバイスのために、１または複数のネットワークスライスを常に選択することを許可されているかどうか、または、ネットワークデバイスが、ハンドオーバまたはセル再選択の方式で、端末デバイスのために、別のネットワークスライスを選択することを許可されているかどうかを示し得る。例えば、少なくとも１つのネットワークスライス識別子によって示されるネットワークスライスについては、ネットワークスライスを置き換えることができる少なくとも１つのネットワークスライスの識別子が含まれ得る。任意選択的に、ネットワークスライスを置き換えることができる少なくとも１つのネットワークスライスの識別子は、優先度に基づいてソートされ得る。優先度を決定するための基準は、本願の本実施形態に限定されない。例えば、ソートはネットワークスライス優先度に基づいて実行され得る。
【０２０９】
６０２において、ＲＡＮノードは、６０１において、第１インタフェースメッセージを使用することによって、保持されるＮＡＳメッセージをＣＮノードへ送信する。
【０２１０】
第１インタフェースメッセージは、ＲＡＮノードとＣＮノードとの間の通信に使用されるインタフェースメッセージである。
【０２１１】
６０３において、ＣＮノードは、第２インタフェースメッセージをＲＡＮノードへ送信する。第２インタフェースメッセージは、端末デバイスのためにＣＮノードによって選択されたネットワークスライスに対応するネットワークスライス識別子、すなわち、第２ネットワークスライスセットにおける少なくとも１つのネットワークスライスに対応するネットワークスライス識別子を含む。第２インタフェースメッセージは、ＲＡＮノードとＣＮノードとの間の通信に使用されるメッセージである。
【０２１２】
任意選択的に、第２インタフェースメッセージは、第１ネットワークスライスセットにおける少なくとも１つのネットワークスライスに対応するネットワークスライス識別子を更に含み得る。
【０２１３】
任意選択的に、第２インタフェースメッセージは、第２ネットワークスライスセットにおける少なくとも１つのネットワークスライスの、アクセス許可またはアクセス禁止セル識別子、トラッキングエリア識別子またはコード、ページングエリア識別子、および、ＰＬＭＮ識別子などの情報を更に含み得る。
【０２１４】
任意選択的に、第２インタフェースメッセージは、ＮＡＳメッセージの形態で、ＲＡＮノードによって透過的に端末デバイスへ送信され得て、ＮＡＳメッセージは、第２インタフェースメッセージの一部または全部の内容を含み得る。
【０２１５】
第２インタフェースメッセージに含まれる情報内容については、実施形態３における第１応答メッセージに含まれる内容を参照されたい。詳細はここで再度説明しない。
【０２１６】
任意選択的に、６０４において、ＲＡＮノードが、第２ネットワークスライスセットにおける一部または全部のネットワークスライスをサポートしない場合、ＲＡＮノードは、第３インタフェースメッセージをＣＮノードへ送信し得る。第３インタフェースメッセージは、ＲＡＮノードが、ＣＮノードによって決定された第２ネットワークスライスセットにおける一部または全部のネットワークスライスをサポートしないとＣＮノードに通知するために使用される。任意選択的に、第３インタフェースメッセージは、ＲＡＮ２ノードがサポートできないネットワークスライスに対応するネットワークスライス識別子を含み得る。
【０２１７】
６０５において、ＲＡＮノードは、第４ＲＲＣメッセージを端末デバイスへ送信する。第４ＲＲＣメッセージに含まれる情報内容については、第２インタフェースメッセージに含まれる情報内容を参照されたい。簡潔にするために、詳細はここで再度説明しない。
【０２１８】
６０６において、端末デバイスは、第４ＲＲＣメッセージに含まれる少なくとも１つの上述の情報を保存し得て、当該少なくとも１つの上述の情報は、例えば、セル選択またはセル再選択など、ＲＲＣアイドル状態における端末デバイスのモビリティ管理のために使用される。
【０２１９】
上述では、図２から図６を参照して本願の方法の実施形態を詳細に説明した。以下では、図７から図８を参照して、本願の機器の実施形態を詳細に説明する。機器の実施形態および方法の実施形態は相互に対応していることを理解されたい。同様の説明については、方法の実施形態を参照されたい。
【０２２０】
図７は、本願の一実施形態に係る通信機器７００の概略ブロック図である。通信機器７００は、方法２００において説明される、代替的に第１アクセスネットワークノード（すなわちＲＡＮ１ノード）と称される第１ネットワークノード、または、方法３００において説明されるＲＡＮ１ノード、または、方法４００において説明されるＲＡＮ１ノード、または、方法５００において説明されるＲＡＮノード、または、方法６００において説明されるＲＡＮノードに対応し得る（例えば、それに配置され得る、または、それ自体である）。加えて、通信機器７００のモジュールまたはユニットは、方法２００において説明される、代替的に第１アクセスネットワークノード（すなわち、ＲＡＮ１ノード）と称される第１ネットワークノード、または、方法３００において説明されるＲＡＮ１ノード、または、方法４００において説明されるＲＡＮ１ノードまたはＲＡＮ２ノード、または、方法５００において説明されるＲＡＮノード、または、方法６００において説明されるＲＡＮノードによって実行される動作または処理プロセスを実行するようそれぞれ構成される。本明細書において、繰り返しを回避するべく、詳細な説明は省略される。
【０２２１】
本願の本実施形態において、通信機器７００は、プロセッサおよび送受信機を含み得て、プロセッサおよび送受信機は通信可能に接続される。任意選択的に、通信機器７００は、メモリを更に備え、メモリおよびプロセッサは通信可能に接続される。任意選択的に、プロセッサ、メモリおよび送受信機は、通信可能に接続され得る。メモリは、命令を記憶するよう構成され得て、プロセッサは、メモリに記憶された命令を実行するよう構成され、これにより、情報または信号を送信するよう送受信機を制御する。
【０２２２】
図７に示されう通信機器７００の送信ユニットおよび受信ユニットは、送受信機に対応し得る。
【０２２３】
図８は、本願の一実施形態に係る通信機器８００の概略ブロック図である。通信機器８００は、第２アクセスネットワークノード（すなわちＲＡＮ２ノード）または第１コアネットワークノード（すなわちＣＮ１ノード）など、方法２００において説明された第２ネットワークノード、または、方法３００において説明されるＣＮ１ノード、または、方法４００において説明されるＲＡＮ２ノード、または、方法６００において説明されるＣＮノードに対応し得る（例えば、それに配置され得る、または、それ自体である）。加えて、通信機器８００のモジュールまたはユニットは、第２アクセスネットワークノード（すなわちＲＡＮ２ノード）または第１コアネットワークノード（すなわちＣＮ１ノード）など、方法２００において説明される、第２ネットワークノードによって、または方法３００において説明されるＣＮ１ノードによって、または、方法４００において説明されるＲＡＮ２ノードによって、または、方法６００において説明されるＣＮノードによって実行される動作または処理プロセスを実行するようそれぞれ構成される。本明細書では、繰り返しを回避するべく、詳細な説明を省略する。
【０２２４】
本願の本実施形態において、通信機器８００は、プロセッサおよび送受信機を含み得て、プロセッサおよび送受信機は、通信可能に接続される。任意選択的に、通信機器８００は、メモリを更に備え、メモリおよびプロセッサは通信可能に接続される。任意選択的に、プロセッサ、メモリおよび送受信機は、通信可能に接続され得る。メモリは、命令を記憶するよう構成され得て、プロセッサは、メモリに記憶された命令を実行するよう構成され、これにより、情報または信号を送信するよう送受信機を制御する。
【０２２５】
図８に示される通信機器８００の受信ユニットおよび送信ユニットは、送受信機に対応し得る。
【０２２６】
上述した方法の実施形態は、プロセッサに適用され得る、または、プロセッサによって実装され得ることに留意されたい。プロセッサは、集積回路チップであってよく、信号処理能力を有する。実装プロセスにおいて、プロセッサにおけるハードウェア統合論理回路を使用することによって、または、ソフトウェアの形態の命令を使用することによって、上述した方法の実施形態における段階を実装できる。プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または、別のプログラマブル論理デバイス、ディスクリートゲートまたはトランジスタ論理デバイス、または、ディスクリートハードウェアコンポーネントであり得る。プロセッサは、本願の実施形態において開示される方法、段階および論理ブロック図を実装または実行できる。汎用プロセッサはマイクロプロセッサであってもよく、またはプロセッサは任意の従来型のプロセッサなどであってもよい。本願の実施形態に関連して開示された方法の段階は、ハードウェア復号プロセッサを使用することによって直接実行および達成され得る、または、復号プロセッサにおけるハードウェアおよびソフトウェアモジュールの組み合わせを使用することによって実行および達成され得る。ソフトウェアモジュールが、ランダムアクセスメモリ、フラッシュメモリ、リードオンリメモリ、プログラマブルリードオンリメモリ、電気的消去可能プログラマブルメモリ、またはレジスタなど、当技術分野の成熟した記憶媒体に位置してよい。記憶媒体はメモリに位置し、プロセッサはメモリ中の情報を読み出し、プロセッサのハードウェアを参照して、上述の方法における段階を実装する。
【０２２７】
本願の実施形態におけるメモリは、揮発性メモリまたは不揮発性メモリであり得る、または、揮発性メモリおよび不揮発性メモリを含み得ることを理解されたい。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして使用される。限定的な説明ではなく、例示的な説明として、多くの形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期型ダイナミックランダムアクセスメモリ（Ｓｙｎｃｈｒｏｎｏｕｓ  ＤＲＡＭ、ＳＤＲＡＭ）、ダブルデータレート同期型ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張型同期型ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）、および、ダイレクトランバスランダムアクセスメモリ（Ｄｉｒｅｃｔ  Ｒａｍｂｕｓ  ＲＡＭ、ＤＲ  ＲＡＭ）が利用可能である。本明細書において説明されるシステムおよび方法のメモリは、これらのメモリおよび別の適切なタイプの任意のメモリを含むが、それらに限定されないことに留意されたい。
【０２２８】
本明細書における「および／または」という用語は、関連対象物を説明するための関連関係だけを説明するものであり、３つの関係が存在し得ることを表すことを理解すべきである。例えば、Ａおよび／またはＢは、Ａのみが存在すること、ＡおよびＢの両方が存在すること、ならびに、Ｂのみが存在することの３つの場合を表し得る。加えて、本明細書中の文字「／」は、概して、関連対象物間の「または」関係を示す。
【０２２９】
上述のプロセスのシーケンス番号は、様々な本願の実施形態における実行順序を意味するものでないことが理解されるべきである。プロセスの実行順序は、プロセスの機能および内部論理に従って決定されるべきであり、本願の実施形態の実装プロセスに対するいかなる限定であるとも解釈されるべきではない。
【０２３０】
当業者であれば、本明細書において開示された実施形態で説明された例と組み合わせて、各ユニットおよび各アルゴリズムステップが、電子ハードウェアまたはコンピュータソフトウェアと電子ハードウェアとの組み合わせによって実装され得ることを認識するであろう。機能がハードウェアによって実行されるか、または、ソフトウェアによって実行されるかは、技術的解決手段の特定の適用および設計の制約に依存する。当業者は、説明された機能を各特定の用途のために実装すべく、異なる方法を使用してよいが、当該実装が、本願の実施形態の範囲を超えるものとみなされるべきではない。
【０２３１】
簡便かつ簡潔な説明のために、上述のシステム、機器、およびユニットの詳細な動作プロセスについては、上述した方法の実施形態における対応するプロセスが参照されてよく、詳細はここで再度説明しないことを当業者は明確に理解するであろう。
【０２３２】
本願において提供されるいくつかの実施形態では、開示されるシステム、機器、および方法が他の方式で実装されてもよいことを理解されたい。例えば、説明された機器の実施形態は、単に一例に過ぎない。例えば、ユニットの分割は単に、論理的機能の分割であり、または、実際の実装においては他の分割であり得る。例えば、複数のユニットまたはコンポーネントは、別のシステムに組み合わせられ得る、もしくは統合され得る、または、いくつかの機能は無視され得る、もしくは、実行されないことがあり得る。加えて、表示または議論されている相互結合もしくは直接的結合または通信接続は、いくつかのインタフェースを使用することによって実装され得る。機器間またはユニット間の間接的結合または通信接続は、電気的形態、機械的形態、または他の形態で実装されてよい。別個の部分として説明された各ユニットは、物理的に分かれていてもいなくてもよく、ユニットとして表示された部分が物理的ユニットであってもなくてもよく、１か所に位置してもよく、または複数のネットワークユニットに分散されてもよい。それらのユニットの一部または全部が、実施形態の解決手段の目的を実現するための実際の要件に従って選択されてよい。
【０２３３】
加えて、本願の実施形態の機能ユニットが１つの処理ユニットに統合されてよく、またはこれらのユニットの各々は物理的に単独で存在してよく、または２つ以上のユニットが１つのユニットに統合される。
【０２３４】
これらの機能がソフトウェア機能ユニットの形態で実装され、別個の製品として販売されるかまたは使用されるとき、これらの機能はコンピュータ可読記憶媒体に記憶されてよい。そのような理解に基づいて、基本的に本願の技術的解決手段または従来技術に対して貢献する部分または技術的解決手段のいくつかが、ソフトウェア製品の形式で実装されてよい。ソフトウェア製品は記憶媒体に記憶され、本願の実施形態に説明される方法の段階の全部または一部を実行するようコンピュータデバイス（パーソナルコンピュータ、サーバ、ネットワークデバイスまたは同様のものであり得る）に指示するための複数の命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶できる任意の媒体を含む。
【０２３５】
上述の説明は、単に本願の実施形態の特定の実装に過ぎず、本願の実施形態の保護範囲を限定するよう意図されるものではない。本願の実施形態において開示される技術的範囲内で、当業者によって容易に理解されるいずれの変形例または置換例も、本願の実施形態の保護範囲内に含まれるものとする。
【図１】
0006950141.tif 000002
【図２】
0006950141.tif 000003
【図３】
0006950141.tif 000004
【図４】
0006950141.tif 000005
【図５】
0006950141.tif 000006
【図６】
0006950141.tif 000007
【図７】
0006950141.tif 000008
【図８】
0006950141.tif 000009